(57)【要約】【課題】副照明光による均一な発光面が得られる照明装置を提供する。【解決手段】光通過口１０３−１は、区画ユニット４の反射面の周縁部または当該反射面の周縁部よりも中央部側に向けて光を出射する。【選択図】図２１
2013196794.tif 000002
【特許請求の範囲】
【請求項１】
第１光源と、
該第１光源からの光を通過させて出射する通過部と、該通過部を通過した光を反射する反射面と、を有する反射部材と、
上記反射面に対向して配置され、上記反射面で反射した光を透過して発光する第１発光面を形成するカバーと、を備える照明装置であって、
上記通過部は、上記反射面の周縁部または上記反射面の周縁部よりも中央部側に向けて光を出射すべく、第１光源からの光の配光を制限することを特徴とする照明装置。
【請求項２】
上記通過部は、上記反射面と上記カバーとの間で上記反射面の中央部側を向くように配置され、上記反射面の周囲に沿って複数設けられてあり、
上記第１光源は、上記通過部に対して上記反射面の周縁部側の位置に設けられてあることを特徴とする請求項１に記載の照明装置。
【請求項３】
上記通過部は、上記カバー側の辺の形状が上記反射面側に窪んだ凹形状であることを特徴とする請求項２に記載の照明装置。
【請求項４】
上記通過部は、上記第１光源と上記通過部の周縁を結ぶ直線が、上記反射面を通るように設けられてあることを特徴とする請求項２または３に記載の照明装置。
【請求項５】
第２光源と、装置本体の外周部側に設けられ、上記第２光源からの光により発光する第２発光面と、をさらに備え、
上記反射部材は、上記装置本体内の中央部に設けられることで、上記装置本体内の上記第２発光面側の領域と、上記第１発光面側の領域とを区画し、
上記第１発光面は、上記第２発光面よりも装置本体の中央部側に形成されることを特徴とする請求項１から４のいずれか１項に記載の照明装置。
【発明の詳細な説明】
【技術分野】
【０００１】
本発明は、照明装置に係り、光源と、該光源からの光により発光する発光面とを備える照明装置に関する。
【背景技術】
【０００２】
一般的な家庭用照明器具として用いられている照明装置としては、白熱電球や蛍光灯等を光源としたものが広く知られている。これらの照明装置は、多くの場合、部屋の天井面等に取り付けられ、部屋の中全体を照明するように用いられている。
【０００３】
ところで、照明装置の利用法には、部屋の中全体を明るく照明する主照明の他に、夜間に消灯させた場合でも部屋内が真っ暗にならないように補助的に照明するようにした副照明である、所謂、常夜灯を備える照明装置がある。例えば、消灯時にもある程度の明るさを確保するため、ナツメ球等の常夜灯を備えたものが広く知られている。
【０００４】
近年、白熱電球や蛍光灯といった光源の代わりに、発光ダイオード（ＬＥＤ；Light Emitting Diode）等の半導体発光素子を光源として使用する照明装置が市販されるに至っている。このような照明装置においては、上述の常夜灯に用いられる光源に関しても、ナツメ球等から発光ダイオード等の半導体発光素子への置き換えが行なわれて来ている。
【０００５】
例えば、特許文献１には、常夜灯として、発光ダイオード（以下、「ＬＥＤ」と呼ぶ場合もある）を用いた、天井面に取り付ける照明器具が開示されている。この特許文献１の照明器具では、照明器具のカバーを用いて、発光ダイオードから出射された光（副照明光）を拡散する。この拡散により、この照明器具では、発光ダイオードから出射された光が部屋内に照射される。
【先行技術文献】
【特許文献】
【０００６】
【特許文献１】特開２００８−２６２８６１号公報（２００８年１０月３０日公開）
【発明の概要】
【発明が解決しようとする課題】
【０００７】
しかしながら、ＬＥＤの光の出射面積は１ｍｍ２程度の小さな面積であり、面輝度が極めて高いため、ＬＥＤからの光が直接人の目に入ると非常に眩しく、不快に感じる。また、ＬＥＤからの光は指向性が強く、直接カバーに照射した場合、限られた所定の範囲しか照射することができない。
【０００８】
そのため、上述の照明器具においては、指向性が強いＬＥＤからの光を、発光の面輝度を不快に感じないよう低下させて出射するため、カバーの狭い範囲しか照射することができず、カバー全体で均一に発光させることはできなかった。
【０００９】
本発明は、上記課題を解決するためになされたものである。したがって、本発明の目的は、副照明光による均一な発光面が得られる照明装置を提供することである。
【課題を解決するための手段】
【００１０】
上記目的を達成するために、本発明に係る照明装置は、第１光源と、該第１光源からの光を通過させて出射する通過部と、該通過部を通過した光を反射する反射面と、を有する反射部材と、上記反射面に対向して配置され、上記反射面で反射した光を透過して発光する第１発光面を形成するカバーと、を備える照明装置であって、上記通過部は、上記反射面の周縁部または上記反射面の周縁部よりも中央部側に向けて光を出射すべく、第１光源からの光の配光を制限する。
【００１１】
上記構成によれば、通過部は、第１光源の光が、反射部材の反射面の周縁部、または、当該周縁部よりも中央部寄りに向かって、出射されるように、第１光源の光の配光を制限する。仮に、このような通過部が無ければ、第１光源の光のうち、反射部材の反射面にて反射されずに当該反射面に対向するカバーに直接出射されてしまう光が発生する。このような光は、カバーが形成する第１発光面の輝度ムラを招き、第１発光面全体での均一な発光を妨げるものである。
【００１２】
上記構成によれば、通過部の上述の配光制限により、第１光源の光はカバーに直接出射されることはない。すなわち、第１光源の光は一旦、反射面にて反射し、その反射により、拡散され、カバーに出射されることになる。
【００１３】
それゆえ、反射面からカバーに向かって出射（反射）される光は、カバーを広範囲にわたって照らし、これにより、カバーからの発光の均一化を図ることができる。
【００１４】
上記照明装置において、上記通過部は、上記反射面と上記カバーとの間で上記反射面の中央部側を向くように配置され、上記反射面の周囲に沿って複数設けられてあり、上記第１光源は、上記通過部に対して上記反射面の周縁部側の位置に設けられてあることが好ましい。
【００１５】
上記構成によれば、第１光源から出射されて光は、通過部の通過により、反射面の中央部に集められる。そして、それら光は、当該中央部を中心として、カバー側に向けて反射される。反射面の中央部からの反射光が多いことから、反射光はカバー全体に均一に照射される。それゆえ、カバーからの発光の均一性を向上させることができる。
【００１６】
上記照明装置において、上記通過部は、上記カバー側の辺の形状が上記反射面側に窪んだ凹形状であることが好ましい。
【００１７】
上記照明装置において、上記通過部は、上記第１光源と上記通過部の周縁を結ぶ直線が、上記反射面を通るように設けられてあることが好ましい。
【００１８】
上記照明装置は、第２光源と、装置本体の外周部側に設けられ、上記第２光源からの光により発光する第２発光面と、をさらに備え、上記反射部材は、上記装置本体内の中央部に設けられることで、上記装置本体内の上記第２発光面側の領域と、上記第１発光面側の領域とを区画し、上記第１発光面は、上記第２発光面よりも装置本体の中央部側に形成されることが好ましい。
【００１９】
上記構成によれば、反射部材が第２発光面側の領域と、第１発光面側の領域とを区画するので、互いの領域に光が干渉しあうのを防止することができる。例えば、第１光源を点灯し、第２光源を点灯させていないときに、第２発光面に第１光源からの光が漏れるということを防止することができる。
【００２０】
さらに、上記構成によれば、第１発光面は装置本体の中央部側に形成されるので、発光面積を小さくすることができる。これにより、少ない光源点数でも均一な発光面を得ることができる。
【発明の効果】
【００２１】
本発明によれば、副照明光による均一な発光面が得られる照明装置を提供することができる。
【図面の簡単な説明】
【００２２】
【図１】本発明の一実施形態にかかる照明装置の全体構成を示す説明図である。
【図２】図１に示した照明装置の主要部材を分解した状態を示す説明図である。
【図３】図１に示した照明装置に備えられるシャーシの構成を示す説明図である。
【図４】図１に示した照明装置に備えられる光源ユニットの斜視図、正面図、および側面図である。
【図５】図４に示した光源ユニットに備えられる基板の正面図、側面図、および底面図である。
【図６】図４に示した光源ユニットの平面図である。
【図７】図４に示した光源ユニットを図３に示したシャーシに取り付けた状態を示す説明図である。
【図８】本発明の比較例にかかる照明装置の断面図である。
【図９】図４に示した光源ユニットに備えられるレンズの構成を示す説明図である。
【図１０】（ａ）および（ｂ）は図４に示した光源ユニットから出射される光の軌跡を模式的に示した説明図である。
【図１１】（ａ）は本発明の比較例にかかるレンズを用いた場合の当該レンズから出射される光の軌跡を模式的に示した説明図である。（ｂ）は図９に示したレンズを用いた場合の当該レンズから出射される光の軌跡を模式的に示した説明図である。
【図１２】（ａ）は本発明の比較例にかかるレンズを用いた場合の当該レンズによって照明装置の外縁部近傍に集光される光の範囲を示した模式的に示した説明図である。（ｂ）は図９に示したレンズを用いた場合の当該レンズによって照明装置の外縁部近傍に集光される光の範囲を示した模式的に示した説明図である。
【図１３】（ａ）は本発明の比較例にかかるレンズを用いた場合に得られる輝度分布を示した説明図である。（ｂ）は図９に示したレンズを用いた場合に得られる輝度分布を示した説明図である。
【図１４】（ａ）は本発明の比較例にかかるレンズを用いる場合の、隣接して配置されるレンズ同士の関係を示す説明図である。（ｂ）は図９に示したレンズを用いる場合の隣接して配置されるレンズ同士の関係を示す説明図である。
【図１５】（ａ）は本発明の比較例にかかるレンズを用いた場合にレンズ同士の隣接部近傍に生じるスジ状の輝度むらを示す説明図である。（ａ）は図９に示したレンズを用いた場合にレンズ同士の隣接部近傍に生じるスジ状の輝度むらを示す説明図である。
【図１６】図１に示した照明装置における反射シートをシャーシに取り付ける前の状態を示す説明図である。
【図１７】図１に示した照明装置のシャーシに反射シートを取り付けるための作業工程を示す説明図である。
【図１８】図１に示した照明装置のシャーシに反射シートを取り付ける際に用いられる取付用クリップの構成を示す説明図である。
【図１９】図１に示した照明装置において反射シートをシャーシに取り付けた状態を示す説明図である。
【図２０】（ａ）は図１に示した照明装置における反射シートのシャーシに対する取付方法の変形例を示す説明図である。（ｂ）は（ａ）に示した取付方法において用いられる留具の構成を示す説明図である。（ｃ）は（ａ）に示した取付方法における取付部の詳細を示す説明図である。
【図２１】図１に示した区画ユニット、ならびに、当該区画ユニットに取り付けられる前の常夜灯光源ユニットおよび反射板の構成を示す説明図である。
【図２２】図１に示した区画ユニットの斜視図、上面図、側面図および底面図である。
【図２３】図１に示した区画ユニットに常夜灯光源ユニットおよび反射板が取り付けられた副照明ユニットの上面図および断面図である。
【図２４】図２１に示した常夜灯光源ユニットの正面図、底面図および側面図である。
【図２５】図２４に示した光源から出射された光の軌跡を模式的に示した説明図である。
【図２６】図２４に示した光源から出射された光の軌跡を模式的に示した説明図である。
【図２７】図２３に示した副照明ユニットが照明する副照明領域における輝度分布を示す説明図である。
【図２８】図２３に示した区画ユニットに常夜灯光源ユニットおよび反射板が取り付けられた副照明ユニットの変形例の上面図および断面図である。
【図２９】図１に示した照明装置の全体構成を示す斜視図および拡大図である。
【図３０】図１に示した区画ユニットの上面図および断面図である。
【図３１】図１に示したリングカバーおよびセンターカバーの上面図、断面図および拡大図である。
【発明を実施するための形態】
【００２３】
本発明の一実施形態について説明する。なお、本実施形態では、本発明を家屋等の天井に取り付けられるシーリングライトに適用する場合について説明するが、本発明の適用対象はこれに限るものではない。
【００２４】
（１−１．照明装置１の全体構成）
図１は、本実施形態にかかる照明装置１の全体構成を示す説明図であり、正面図（床面側から見た図）、側面図、および上記平面図に示したＡ−Ａ断面の断面図を含んでいる。また、図２は、照明装置１の主要部材を分解した状態を示す説明図である。
【００２５】
図１および図２に示したように、照明装置１は、シャーシ２、反射シート３、区画ユニット４、リングカバー（カバー部材）５、センターカバー（カバー部材）６、電源基板７、電源カバー８、およびアダプタ９を備えている。
【００２６】
シャーシ２は、照明装置１に備えられる各部を支持するための円板状の部材であり、例えばアルミニウムあるいは鉄等の金属材料からなる。なお、シャーシ２の形状および材質はこれに限るものではないが、照明装置１の各部を支持するための十分な強度を有し、かつ、後述する光源ユニット１０で生じた熱を外部に放散させるために高い熱伝導性を有する材質であることが好ましい。
【００２７】
シャーシ２の中央部には表面側（床面側）から裏面側（天井側）に貫通する開口部が設けられており、この開口部の周囲にはシャーシ２の一部（内縁部）を表面側（床面側）に折り曲げることにより形成された８個のアングル部（支持部）２０が設けられている。すなわち、アングル部２０はシャーシ２の一部を折り曲げることによってシャーシ２と一体的に形成されている。また、各アングル部２０は略同一の形状からなり、かつ、上記の折り曲げによって形成される稜（２つの面の交わりの線分）がシャーシ２の外縁を構成する円の中心を通る放射線と略直交するように上記中心に対して点対称に設けられている。これにより、各アングル部２０は、床面側から見たときに略正八角形を成すように上記開口部の周囲に配置されている。
【００２８】
また、各アングル部２０におけるシャーシ２の外縁側の面には、光源ユニット１０がそれぞれ取り付けられている。各光源ユニット１０は、光出射面がシャーシ２の外縁側を向くようにアングル部２０に取り付けられている。また、各光源ユニット１０から出射された光は、主に、反射シート３に入射し、反射シート３で反射されてリングカバー５に入射し、リングカバー５で拡散されて照明装置１の外部に出射されるようになっている。光源ユニット１０の構成、および光源ユニット１０のアングル部２０に対する取付方法については後述する。
【００２９】
また、シャーシ２における、各アングル部２０が設けられている領域と外縁部との間の領域には、裏面側（天井側）に窪んだ溝部２ａと溝部２ａに連通した複数の溝部２ｂとが設けられている。溝部２ａは各アングル部２０が設けられている領域を取り囲むように略正方形状に設けられており、各溝部２ｂは溝部２ａが成す正方形形状の辺の部分からシャーシ２の外縁側に向かう方向に延伸するように溝部２ａと連通して設けられている。これら溝部２ａおよび各溝部２ｂはシャーシ２の強度を高めるためのものであり、例えば、平板状のシャーシ２に対して絞り加工を施すことによって形成される。溝部２ａおよび溝部２ｂを設けることにより、シャーシ２の強度を増加させることができるので、シャーシ２の厚さを薄くして照明装置１の軽量化を図ることができる。なお、溝部２ａおよび溝部２ｂは必須の構成ではなく、これら各部を備えないシャーシ２を用いてもよい。
【００３０】
反射シート３は、光源ユニット１０から出射される光を反射するためのシート状の部材であり、シャーシ２における外縁部からシャーシ２と各アングル部２０との接続部（シャーシ２とアングル部２０との折り曲げ部（上記の稜））までの領域を覆うようにシャーシ２に取り付けられている。また、反射シート３は、反射面が略平面状になるようにシャーシ２に取り付けられている。反射シート３の構成は特に限定されるものではなく、例えば従来から公知の種々の反射シートを用いることができる。反射シート３の形状およびシャーシ２に対する取付方法の詳細については後述する。
【００３１】
区画ユニット４は、光反射性を有する材質からなり、上記の８個のアングル部２０の内側（シャーシ２の外縁がなす円の中心側）に収容されるようにシャーシ２に取り付けられる。これにより、区画ユニット４は、光源ユニット１０から出射された光によって照明される領域である主照明領域と、主照明領域の内側に形成される副照明領域（常夜灯領域）とを区画し、主照明領域の光が副照明領域に入射すること、および副照明領域の光が主照明領域に入射することを防止している。また、区画ユニット４は、後述するレンズ１１の角部（長手方向の端部）に起因する迷光が直接リングカバー５あるいはセンターカバー６に照射されることを防止している。なお、区画ユニット４の内側には、上記副照明領域を照明するための光源（常夜灯光源）が備えられている。区画ユニット４および区画ユニット４の内側の構成については後述する。
【００３２】
リングカバー５は、中央部に円形の開口部を有するリング形状のカバー部材であり、光源ユニット１０から出射された光を拡散させて照明装置１の外部に出射する機能を有している。リングカバー５の材質は光拡散性を有するものであれば特に限定されるものではなく、例えば従来から公知の材質を用いることができる。本実施形態では、乳白色のポリカーボネート樹脂からなるリングカバー５を用いた。
【００３３】
センターカバー６は、光拡散性を有する円板状部材からなる円板部６ａと、遮光性を有するリング状の遮光部（遮光部材）６ｂとを備えており、リングカバー５の中央部に設けられた開口部を覆うようにリングカバー５に取り付けられる。円板部６ａとしては、例えばリングカバー５と同様の材質のものを用いることができる。本実施形態では、乳白色のポリカーボネート樹脂からなる円板部６ａを用いた。また、遮光部６ｂは、遮光性を有する材質であれば特に限定されるものではないが、例えばアルミニウムや鉄などの金属製の部材や、光を透過しない樹脂製のリング部材を用いることができる。また、遮光部６ｂの一部には、穴部６ｃが設けられている。この穴部６ｃに対応する位置には、照明装置１の周囲の明るさを検出するための光センサ（図示せず）が配置される。
【００３４】
なお、遮光部６ｂは、区画ユニット４の外縁部、アングル部２０、光源ユニット１０、および光源ユニット１０同士の隣接部に生じる輝度ムラ等が床面側から視認されることを低減できる形状およびサイズに形成されている。また、照明装置１を床面側から見ると、センターカバー６を境にして主照明領域と副照明領域（常夜灯領域）とが分離されており、センターカバー６の外側が主照明領域、内側の円板部６ａが副照明領域（常夜灯領域）となっている。本実施形態では、図１に示したように、遮光部６ｂの内径を１４９ｍｍ、外径を１８７ｍｍとし、円板部６ａの外径を２０５．６ｍｍとしている。また、リングカバー５の外径は６５０ｍｍであり、リングカバー５の外縁部から中央部に設けられた開口部までの反射シート３の反射面に平行な方向の距離は２４４．２ｍｍである。なお、センターカバー６の外縁部とリングカバー５の内縁部とは一部重畳するように取り付けられている。また、本実施形態では、遮光部６ｂの外側にも円板部６ａが位置するようにセンターカバー６の内側に遮光部６ｂが位置されているが、センターカバー６の外縁部に遮光部６ｂを配置し、遮光部６ｂの内側にのみ円板部６ａが位置するようにしてもよい。
【００３５】
電源基板７は、照明装置１の外部から供給される電力を受電して照明装置１の各部に供給するための回路基板である。また、電源基板７には、ユーザからの指示や上述した光センサの検出結果等に応じて各光源の発光状態を制御する制御部（図示せず）などが備えられている。
【００３６】
電源カバー８は、電源基板７を保護するための部材であり、電源基板７を覆うようにシャーシ２に取り付けられている。なお、本実施形態では、図１に示したように、照明装置１の厚さ（センターカバー６における床面側の面から電源カバー８における天井面側の面までの高さ）は７８．３ｍｍである。また、センターカバー６の床面側の面から反射シート３の反射面までの高さは３３．８ｍｍである。
【００３７】
アダプタ９は、照明装置１を天井に取り付けるためのものであり、電源カバー８、電源基板７、シャーシ２、反射シート３、および区画ユニット４に設けられた開口部を介して天井に設けられた図示しない天井側取付部材（いわゆる、引掛シーリングあるいは引掛ローゼット）に取り付けられ、照明装置１を天井に固定する。
【００３８】
具体的には、アダプタ９における直径方向の両端には、直径方向外側に向けてバネ等の弾性部材（図示せず）によって付勢された可動部９ａが備えられている。そして、アダプタ９を天井側取付部材に装着した後、電源カバー８、電源基板７、シャーシ２、反射シート３、および区画ユニット４を組み立てた状態でこれら各部材の中央部に設けられた開口部（貫通孔）にアダプタ９を挿入するようにこれら各部材を天井側に押し上げると、アダプタ９の可動部９ａが区画ユニット４の内縁部に当接して直径方向内側に押し込まれる。そして、上記各部材をさらに天井側に押し上げると、区画ユニット４の内縁部がアダプタ９の可動部９ａとの当接部を通過し、可動部９ａが直径方向内側に押し込まれた状態が解除される。これにより、区画ユニット４が天井とアダプタ９の可動部９ａとの間に挟まれた状態で保持され、それによって照明装置１が天井に固定される。
【００３９】
また、アダプタ９には、天井側取付部材に備えられる電源供給部に電気的に接続される電気接続部と、上記電源供給部を介して供給される電力を電源基板７に供給するための電源ケーブルとが設けられている（いずれも図示せず）。アダプタ９を天井側取付部材に装着すると、アダプタ９の電気接続部は天井側取付部材に設けられている電源供給部に電気的に接続される。そして、アダプタ９の電源ケーブルを電源基板７に設けられた接続部（図示せず）に接続することにより、天井側取付部材の電源供給部、アダプタ９の電気接続部、および電源ケーブルを介して電源基板７に電力が供給される。なお、詳細は後述するが、本実施形態では、アダプタ９の電源ケーブルを電源基板７に接続した後、この電源ケーブルをアダプタ９の外周に沿わせてアダプタ９と区画ユニット４との間に収容できるようになっている。この電源ケーブルの収容部の詳細については後述する。
【００４０】
（１−２．アングル部２０および光源ユニット１０の構成）
図３は、シャーシ２における床面側の構成、およびシャーシ２のアングル部２０に取り付ける前の光源ユニット１０の構成を示す説明図である。なお、図３では反射シート３については記載を省略している。
【００４１】
図３に示したように、各アングル部２０は、シャーシ２の内縁側をシャーシ２の平面部（シャーシ２における天井に平行に設置される面。天面部。主面。）に対して略垂直な稜角（とがった角）をなすように折り曲げることによって形成された立設部２１と、立設部２１の先端がシャーシ２の外縁側を向くように立設部２１に対して略垂直な方向に折り曲げることによってシャーシ２の上記平面部に略平行に対向するように形成された先端部（底面部）２２とを有している。すなわち、各アングル部２０は、シャーシ２の平面部（表面）から立設された立設部２１と、立設部２１におけるシャーシ２の平面部と反対側の端部からシャーシ２の外縁側へ延設された先端部２２とを有している。
【００４２】
立設部２１は、シャーシ２側から先端部２２の方向に向かうほど幅が狭くなった台形形状を有している。また、先端部２２は、立設部２１から遠ざかるほど幅が狭くなった台形形状を有しており、立設部２１から遠い側の端部の角部には面取りが施されている。したがって、各アングル部２０同士の間は切り欠かれており、各アングル部２０は隣接する他のアングル部２０との間に間隔を有し、互いに独立してシャーシ２の内縁部に立設している。
【００４３】
本実施形態では、アングル部２０を形成する際、まず、板状のシャーシ２の中央部を切削加工することにより、アダプタ０を挿入するための開口部（貫通孔）２５を形成するとともに、各アングル部２０における立設部２１および先端部２２となる部分を形成する。具体的には、開口部２５の周縁部からシャーシ２の外縁側に向かって切り欠かれた複数の切欠部２６を開口部２５の周囲に所定間隔毎に形成する。これにより、隣接する立設部２１および先端部２２となる部分同士の間に切欠部２６が形成される。その後、立設部２１になる部分（隣り合う切欠部２６・２６間に挟まれたシャーシ２の一部）をシャーシ２の平面部に対して略垂直な方向に折り曲げ、さらに先端部２２を立設部２１に対して略垂直な方向に折り曲げる。なお、先に先端部２２を立設部２１に対して折り曲げてから立設部２１をシャーシ２の平面部に対して折り曲げてもよい。
【００４４】
このように、立設部２１をシャーシ２の平面部に対して上記切り欠きを形成した上で折り曲げ加工により立設させることにより、上記の稜角を形成できる。そして、このような稜角を形成することにより、光源ユニット１０を安定して保持するとともに、立設部２１のシャーシ２からの高さを低くして照明装置１の薄型化を図ることができる。また、シャーシ２とアングル部２０とを一体的に形成することにより、シャーシ２とアングル部２０との熱伝導性を向上させることができるので、光源ユニット１０で生じた熱を、アングル部を介してシャーシ２に効率的に伝達させて放散させることができる。
【００４５】
なお、アングル部２０を絞り加工等によって形成することも考えられるが、その場合には、立設部２１の折り曲げ部を上記のような稜角にすることが困難であり、シャーシ２の平面部とアングル部２０の立設部２１との間の角部が曲率半径の大きい曲面になってしまう。その結果、立設部２１に光源ユニット１０を取り付けるための平面部を得るためにアングル部２０の高さが高くなり、照明装置１の厚さが増してしまう。
【００４６】
また、アングル部２０をシャーシ２とは別に形成してシャーシ２に取り付けることも考えられるが、その場合には、光源ユニット１０からシャーシ２への伝熱特性が低下してしまい、光源ユニット１０で生じた熱を十分に放散できなくなる場合がある。また、アングル部２０をシャーシ２に取り付けるためのネジ等がシャーシ２の反射面に突出することにより、光学特性に悪影響を及ぼす場合がある。また、伝熱特性を向上させるためにアングル部２０とシャーシ２との間に熱伝導性の高い伝熱シートを挟み込むことが考えられるが、その場合には、部品点数および作業工程が増加し、製造コストが増大してしまう。
【００４７】
また、本実施形態では、上述したように、アングル部２０を形成する際、板状のシャーシ２の中央部を切削加工して各アングル部２０における立設部２１および先端部２２となる部分を形成してから折り曲げ加工を行っている。したがって、隣接するアングル部２０同士の間は切り離されており、互いに独立してシャーシ２の内縁部に立設している。これにより、光源ユニット１０をシャーシ２の平面部（先端部２２との対向部）とアングル部２０の先端部２２との間に挟み込むようにして光源ユニット１０をアングル部２０に取り付ける際、アングル部２０を弾性変形させて光源ユニット１０を容易に取り付けることができるようになっている。
【００４８】
なお、従来の技術では、光源ユニットで生じた熱をより効率的にシャーシに伝達して放熱させるために、アングル部と光源ユニットとの当接面積を可能な限り大きくするのが一般的であった。このため、各アングル部同士が連結された構成にするのが一般的であり、当該構成を実現するために、アングル部２０をシャーシ２とは別に形成してシャーシ２に取り付けていた。したがって、従来の技術では、アングル部の弾性変形が隣接するアングル部によって阻害されるため、光源ユニットをアングル部の先端部とシャーシ２の平面部との間に挟みこむことによって光源ユニットをアングル部に取り付けることは困難であった。
【００４９】
これに対して、本実施形態では、アングル部２０の立設部２１を台形形状としており、各アングル部２０が互いに独立して立設している。このため、光源ユニット１０をアングル部２０に取り付ける際にアングル部２０を容易に弾性変形させることができ、光源ユニット１０を容易に取り付けられるようになっている。
【００５０】
なお、本実施形態では、基板１２の長手方向両端部において、基板１２との対向領域にアングル部２０が設けられていない領域が存在する。このため、基板１２の対向部の全域にアングル部が設けられている場合に比べて基板１２とアングル部との間の伝熱効率は低下する。しかしながら、本実施形態では、アングル部２０とシャーシ２とを一体構造としたことによる放熱特性の向上効果が得られるので、上記のように基板１２の長手方向両端部に対向する領域にアングル部２０が設けられていない領域が存在する場合であっても、光源Ｌ１〜Ｌ３で生じた熱を、基板１２からアングル部２０を介してシャーシ２に伝熱させて適切に放熱させることができる。
【００５１】
図３に示したように、各アングル部２０における先端部２２には係合穴部（被係合部）２３ａ，２３ｂが設けられており、シャーシ２の平面部における各アングル部２０の近傍（先端部２２との対向部）には２つの係合穴部（被係合部）２３ｃ，２３ｄが設けられている。また、各アングル部２０における立設部２１には挿入孔２３ｅ，２３ｆが設けられている。
【００５２】
図４は光源ユニット１０の斜視図、正面図（床面側から見た平面図）、および側面図（光源ユニット１０に備えられるレンズ１１の光出射側の面から見た平面図）である。この図に示すように、光源ユニット１０は、一方向（第１方向）に延伸した形状を有するレンズ１１および基板１２を備えている。
【００５３】
レンズ１１は、基板１２に備えられる光源から出射する光を屈折させて所定の方向に出射させるためのものである。レンズ１１の材質は特に限定されるものではないが、例えば、透明なアクリル樹脂からなるレンズを用いることができる。なお、詳細は後述するが、レンズ１１は、光源から入射した光を反射シート３における外縁部に近い領域に主に集光させる光学特性を有しており、それによって反射シート３の略全域を略均等な照度で照射し、反射シート３で反射した光によってリングカバー５の略全域に略均等な照度分布を形成できるようになっている。
【００５４】
図４に示すように、レンズ１１における長手方向に平行な一端面（床面側に配置される面）にはリブ１４ａ，１４ｂが設けられており、リブ１４ａ，１４ｂにおけるレンズ１１の幅方向（短手方向）外側の端面には係合爪部（係合凸部）１３ａ，１３ｂが設けられている。また、上記一端面と反対側の他端面（天井側に配置される面）にはリブ１４ｃ〜１４ｇが設けられており、リブ１４ｃ，１４ｄにおける幅方向（短手方向）外側の端面には係合爪部（係合凸部）１３ｃ，１３ｄが設けられている。なお、係合爪部１３ａ，１３ｂはアングル部２０の先端部２２に設けられた係合穴部２３ａ，２３ｂに対応する位置に設けられており、係合爪部１３ｃ，１３ｄはシャーシ２に設けられた係合穴部２３ｃ，２３ｄに対応する位置に設けられている。また、リブ１４ｅ，１４ｆは、基板１２に備えられるコネクタＣ１，Ｃ２に対応する位置に設けられている。また、図３および図４に示したように、光源ユニット１０におけるアングル部２０側に配置される面には、アングル部２０側に突出する突出部１３ｅ，１３ｆが設けられている。
【００５５】
図５は基板１２の正面図（レンズ１１との対向面の平面図）、底面図（床面側に配置される面の平面図）、および側面図（天井面に水平な方向から長手方向の端面を見た平面図）である。
【００５６】
図５に示すように、基板１２は、基板本体１２ａと、基板本体１２ａの裏面（アングル部２０側に配置される面）に貼り付けられた弾性体からなる弾性シート（シート状部材）１２ｂとを備えている。基板本体１２ａおよび弾性シート１２ｂの材質は特に限定されるものではないが、基板本体１２ａに備えられる光源で生じた熱を基板本体１２ａおよび弾性シート１２ｂを介してシャーシ２に伝熱して放散させることができるように、熱伝導性が高い材質（例えばシリコーン樹脂等）を用いることが好ましい。なお、本実施形態では厚さ０．３ｍｍの弾性シート１２ｂを用いた。
【００５７】
基板本体１２ａの光出射面側には、白色の光を出射する５個の光源（ＬＥＤ）Ｌ１と、電球色の光を出射する５個の光源（ＬＥＤ）Ｌ２と、赤色の光を出射する２個の光源（ＬＥＤ）Ｌ３と、基板１２に電気配線（各基板１２を隣接する他の基板１２あるいは電源基板７に接続するための電気配線）の接続端子を接続するためのコネクタＣ１，Ｃ２とを備えている。なお、電気配線の接続端子はコネクタＣ１，Ｃ２に対して基板１２の基板面法線方向に脱着されるようになっている。
【００５８】
本実施形態では、上記各色の光源の発光状態を制御することにより、リングカバー５を白色、電球色、および桜色（オレンジピンク色）に発光させることができるようになっている。なお、光源Ｌ１〜Ｌ３は、基板１２の長さ方向（長手方向）に沿って、Ｌ１，Ｌ２，Ｌ３，Ｌ１，Ｌ２，Ｌ１，Ｌ２，Ｌ１，Ｌ２，Ｌ３，Ｌ１，Ｌ２の順に配置されている。また、光源Ｌ１〜Ｌ３は、これら各光源から出射される光の主軸方向（光軸方向）が基板１２の基板面に垂直な方向になるように備えられている。また、各光源Ｌ１〜Ｌ３は、発光中心が基板１２の長さ方向（長手方向）に沿って同一直線上に配置されるように備えられている。なお、光源Ｌ２は、配線接続部（図示せず）の位置が光源Ｌ１、Ｌ３の配線接続部（図示せず）の位置に対して基板１２の幅方向（短手方向）について上下逆転するように配置されている。このような配置にすることにより、片面側のみに複数の光源Ｌ１〜Ｌ３が配置された基板１２において、光源Ｌ１〜Ｌ３に接続する配線を基板１２内で交差させることなく省スペースでパターニングすることができる。また、基板１２の長手方向に沿って延伸する形状のレンズ１１を用いる場合であっても、光源の種類による発光の仕方を等しくすることができる。ただし、光源Ｌ１〜Ｌ３の配置位置、配置個数、各光源の出射光の色、光源の種類（色数）などはこれに限るものではなく、照明装置１の各部のサイズや形状、要求される光学特性等に応じて適宜変更してもよい。また、光源Ｌ１〜Ｌ３の発光状態を制御することにより、上記各色に加えて、他の色（例えば上記各色の中間色など）に調色できるようにしてもよい。
【００５９】
また、基板１２におけるレンズ１１の突出部１３ｅ，１３ｆに対応する位置には、基板本体１２ａおよび弾性シート１２ｂを貫通する挿入孔１２ｃ，１２ｄが設けられている。
【００６０】
図６は、レンズ１１の突出部１３ｅ，１３ｆを基板１２の挿入孔１２ｃ，１２ｄに挿入した状態のレンズ１１および基板１２における天井側に配置される面の平面図である。この図に示すように、レンズ１１の突出部１３ｅ，１３ｆの高さは基板１２の厚さよりも高くなっており、突出部１３ｅ，１３ｆを基板１２の挿入孔１２ｃ，１２ｄに挿入すると突出部１３ｅ，１３ｆの先端が基板１２の裏面側（アングル部２０との対向面側）に突出するようになっている。
【００６１】
また、レンズ１１における基板１２のコネクタＣ１，Ｃ２に対応する位置には、上述したリブ（第２リブ部材）１４ｅ，１４ｆが設けられている。これにより、レンズ１１および基板１２をアングル部２０に取り付けたときに、リブ１４ｅ，１４ｆがコネクタＣ１，Ｃ２に接続された電気配線の接続端子ｔ１，ｔ２に当接し、接続端子ｔ１，ｔ２をコネクタＣ１，Ｃ２の方向に押圧するようになっている。この際、基板１２の裏面側には弾性シート１２ｂが備えられているので、この弾性シート１２ｂの弾性力により、接続端子ｔ１，ｔ２およびコネクタＣ１，Ｃ２は弾性的に押圧される。なお、本実施形態ではレンズ１１のリブ１４ｅ，１４ｆが電気配線の接続端子ｔ１，ｔ２に当接するものとしているが、これに限らず、例えばコネクタＣ１，Ｃ２に当接して接続端子ｔ１，ｔ２とコネクタＣ１，Ｃ２とを押圧する構成としてもよい。
【００６２】
従来から用いられている電気配線接続用のコネクタの中には、接続された電気配線が当該コネクタから抜け落ちることを防止するためのロック機構を備えたものがあるが、そのようなロック機構を備えたコネクタはロック機構を備えないコネクタに比べてサイズが大きく、また高価である。このため、そのようなコネクタを用いると、光源ユニットの光学特性の低下や光源ユニットの大型化、照明装置１の製造コストの増大を招来してしまう。
【００６３】
これに対して、本実施形態では、コネクタＣ１，Ｃ２としてロック機構を備えない小型かつ安価なコネクタを用いている。そして、上記したように、レンズ１１のリブ１４ｅ，１４ｆがコネクタＣ１，Ｃ２に接続された電気配線の接続端子ｔ１，ｔ２に当接してこの接続端子ｔ１，ｔ２をコネクタＣ１，Ｃ２に押し付けることにより接続端子ｔ１，ｔ２がコネクタＣ１，Ｃ２から外れることを防止している。これにより、ロック機能を備えたコネクタを用いる場合よりも小型のコネクタＣ１，Ｃ２を用いることで基板１２を小型化できるので、光源ユニット１０の光学特性を低下させることがなく、また、基板１２の幅（短手方向の長さ）を狭くして照明装置１を薄型化することができる。
【００６４】
なお、電気配線の接続端子がコネクタから外れることを防止するために、接着剤によって接続端子とコネクタとを固定することが考えられるが、その場合、接着剤が電気配線の接続端子とコネクタとの電気接続部に付着して接触不良を起こしてしまうおそれがある。また、コネクタを用いずに電気配線の端部を基板上に半田によって固定することも考えられるが、その場合には作業工程が増加して製造コストが増大してしまう。
【００６５】
また、リブ１４ｃ，１４ｄにおけるシャーシ２の平面部（先端部２２との対向部）側に配置される面のうち係合爪部１３ｃ，１３ｄを除く部分は、光源ユニット１０をアングル部２０に装着したときに反射シート３を介してシャーシ２の平面部に当接する（反射シート３に当接してシャーシ２の平面部に押し付ける）ように形成されている。また、リブ１４ａ，１４ｂにおけるアングル部２０の先端部２２側に配置される面のうち係合爪部１３ａ，１３ｂを除く部分は、光源ユニット１０をアングル部２０に装着したときにアングル部２０の先端部２２に当接するように形成されている。これにより、光源ユニット１０をシャーシ２の平面部とアングル部２０の先端部２２との間に挟み込んで安定して保持することができ、シャーシ２の平面部に垂直な方向の位置を正確に規定することができるようになっている。
【００６６】
また、リブ（第１リブ部材）１４ａ〜１４ｄ，１４ｇにおける基板１２側の面は、光源ユニット１０をアングル部２０に装着したときに基板１２の基板面に当接するように形成されている。これにより、レンズ１１と基板１２との基板面法線方向の相対位置を正確に規定できるようになっている。また、本実施形態では、リブ１４ａ〜１４ｄ，１４ｇの５つのリブにおける基板側の面が基板１２に面接触するようになっている。これにより、接触面積がそれより小さい場合やレンズと基板とをネジ等により固定する場合よりも基板１２とレンズ１１との当接面積を大きくして基板１２とレンズ１１との間に生じる圧力を小さくすることができる。したがって、音鳴りや破損が生じることをより適切に防止できる。
【００６７】
図７は、光源ユニット１０をアングル部２０に取り付けた状態を示す平面図（床面側から見た図）、上記平面図に示したＦ部の拡大図、上記Ｆ部の斜視図、上記拡大図に示したＢ１−Ｂ１断面、Ｂ２−Ｂ２断面、およびＢ３−Ｂ３断面の断面図である。
【００６８】
光源ユニット１０をアングル部２０に取り付ける際には、基板１２をレンズ１１とアングル部２０の立設部２１との間に挟み込んだ状態でレンズ１１をアングル部２０の立設部２１側に押し込む。この際、アングル部２０はレンズ１１が先端部２２に当接することによって先端部２２とシャーシ２の平面部（先端部２２との対向部）との間隔が広がる方向に弾性変形して押し広げられる。
【００６９】
そして、レンズ１１を所定の装着位置まで押し込むと、レンズ１１の係合爪部１３ａ，１３ｂ，１３ｃ，１３ｄがそれぞれ係合穴部２３ａ，２３ｂ，２３ｃ，２３ｄに嵌り込み（図７のＢ２−Ｂ２断面およびＢ３−Ｂ３断面図参照）、アングル部２０の弾性変形が解除されて元の形状に戻る。より具体的には、アングル部２０よりも弾性変形しにくいシャーシ２の平面部側に配置されているレンズ１１の係合爪部１３ａ，１３ｂを係合穴部２３ａ，２３ｂにまず嵌め込み、次いでシャーシ２の平面部よりも弾性変形しやすいアングル部２０の先端部２２側に配置されている係合爪部１３ｃ，１３ｄを係合穴部２３ｃ，２３ｄに嵌め込む。また、図４に示したように、係合爪部１３ａ〜１３ｄにおけるレンズ１１の出射面側の面は基板１２の基板面に略平行になっており、係合爪部１３ａ〜１３ｄにおけるレンズ１１の短手方向の端面は基板面に対して傾斜した形状になっている。これにより、係合爪部１３ａ〜１３ｄを係合穴部２３ａ〜２３ｄに嵌め込んだ状態では、基板１２に備えられる弾性シート１２ｂの弾性力によりレンズ１１がアングル部２０の立設部２１から遠ざかる側に付勢され、係合爪部１３ａ〜１３ｄにおけるレンズ１１の出射面側の面が係合穴部２３ａ〜２３ｄにおけるレンズ１１の出射面側の面に押し付けられる。これにより、光源ユニット１０がアングル部２０に保持される。なお、光源ユニット１０がアングル部２０に保持されている状態では、レンズ１１におけるリブ１４ａ，１４ｂ，１４ｃ，１４ｄ，１４ｇにおける基板１２側の面が基板１２に当接して基板１２をアングル部２０の立設部２１側に押し付ける。これにより、基板１２の裏面に取り付けられた弾性シート１２ｂは、基板本体１２ａとアングル部２０の立設部２１とに挟まれて弾性変形した状態で立設部２１に密着し、基板１２はアングル部２０の立設部２１とレンズ１１との間に弾性的に保持される。また、この状態では、レンズ１１の突出部１３ｅ，１３ｆは、基板１２の挿入孔１２ｃ，１２ｄを貫通してアングル部２０の立設部２１に設けられた挿入孔２３ｅ，２３ｆにそれぞれ収容される（図７のＢ２−Ｂ２断面図参照）。また、この状態では、レンズ１１のリブ１４ｅ，１４ｆが電気配線の接続端子ｔ１，ｔ２に当接し、接続端子ｔ１，ｔ２がコネクタＣ１，Ｃ２に押し付けられる（図７のＢ１−Ｂ１断面参照）。
【００７０】
なお、従来の技術では、レンズをシャーシに取り付けられたレンズ保持部に対してネジ等により固定することしか考慮されておらず、一般に、レンズ保持部に十分な強度を持たせるため、および基板からシャーシへの伝熱特性を向上させるために、レンズ保持部同士がつながった形状になっていた。このため、従来の技術ではレンズを本実施形態のようにレンズ保持部（アングル部２０）とシャーシ２との間に挟みこむようにして装着することは困難であった。これに対して、本実施形態では、シャーシ２の一部を折り曲げ加工することによってアングル部２０を形成しており、アングル部２０は先端部２２側へ向かうほど幅が狭くなる台形形状に形成され、各アングル部２０同士の間は切り欠かれている。このため、レンズ１１をアングル部２０の先端部２２とシャーシ２の平面部との間に押し込むことにより、アングル部２０を容易に弾性変形させることができ、レンズ１１を所定の装着位置（係合爪部１３ａ，１３ｂ，１３ｃ，１３ｄが係合穴部２３ａ，２３ｂ，２３ｃ，２３ｄに嵌り込む位置）に容易に装着することができるので、光源ユニット１０をアングル部２０に取り付ける作業が容易になる。
【００７１】
また、本実施形態では、係合穴部２３ａ，２３ｂ，２３ｄにおけるレンズ１１の長手方向の幅を、係合爪部１３ａ，１３ｂ，１３ｄにおける係合穴部２３ａ，２３ｂ，２３ｄに挿入される部分の当該方向の幅よりも十分に広く設定している。また、基板１２に設けられた挿入孔１２ｃおよびアングル部２０に設けられた挿入孔２３ｅにおけるレンズ１１の長さ方向（長手方向）の幅を、レンズ１１の突出部１３ｅにおける当該方向の幅よりも十分に広く設定している。また、係合穴部２３ｃにおけるレンズ１１の長手方向の幅を、係合爪部１３ｃにおける係合穴部２３ｃに挿入される部分の当該方向の幅に応じた幅に設定している（両者を同じ幅に設定するか、あるいは、両者の差を、係合爪部１３ｃを挿入可能な程度の微小な差に設定している）。また、基板１２に設けられた挿入孔１２ｄにおけるレンズ１１の長手方向の幅を、レンズ１１の突出部１３ｆにおける当該方向の幅に応じた幅に設定している（両者を同じ幅に設定するか、あるいは、両者の差を、突出部１３ｆを挿入可能な程度の微小な差に設定している）。
【００７２】
これにより、レンズ１１は、熱膨張した場合、当該レンズ１１および当該基板１２の長手方向に、基板１２およびアングル部２０に対して相対的に移動可能になっている。また、基板１２は、当該基板１２の長手方向について、レンズ１１に対して相対的に移動可能になっている。したがって、光源Ｌ１〜Ｌ３で生じた熱によってアングル部２０、レンズ１１、および基板１２の間に長手方向についての熱膨張量の差が生じた場合であっても、これら各部材の長手方向への変位が拘束されないので、これら各部材間に熱応力が作用することを軽減し、レンズ１１が熱膨張して基板１２やアングル部２０との間で力が加わることによる音鳴りや部材の破損が生じることを防止できる。
【００７３】
なお、係合穴部２３ｃにおけるレンズ１１の長手方向の幅は、係合爪部１３ｃにおける係合穴部２３ｃに挿入される部分の当該方向の幅に応じた幅に設定されているので、レンズ１１は係合穴部２３ｃに装着された係合爪部１３ｃの部分を基準位置（アングル部２０に対する相対位置が変化しない位置）として長手方向に膨張あるいは収縮する。また、基板１２に設けられた挿入孔１２ｄにおけるレンズ１１の長手方向の幅は、レンズ１１の突出部１３ｆにおける当該方向の幅に応じた幅に設定されているので、基板１２は挿入孔１２ｄを基準位置（レンズ１１に対する相対位置が変化しない位置）としてレンズ１１に対して長手方向に相対的に膨張あるいは収縮する。これにより、レンズ１１および基板１２がアングル部２０に対して長手方向について相対的に移動すること、およびレンズ１１が基板１２に対して長手方向について相対的に移動することを許容するとともに、レンズ１１および基板１２の長手方向についての基準位置を規定してレンズ１１と光源Ｌ１〜Ｌ３との相対位置ずれを抑制することができる。なお、基準位置とする係合爪部は係合爪部１３ｃに限るものではないが、光源ユニット１０によるレンズ長手方向についての光の照射範囲のずれを小さくするためには、レンズ１１の長手方向の中心に近い係合爪部を選択することがより好ましい。
【００７４】
また、本実施形態では、係合穴部２３ａ，２３ｂ，２３ｃ，２３ｄにおけるレンズ１１の厚さ方向（アングル部２０の立設部２１とレンズ１１との対向方向）の幅を、係合爪部１３ａ，１３ｂ，１３ｃ，１３ｄにおける係合穴部２３ａ，２３ｂ，２３ｃ，２３ｄに挿入される部分の当該方向の幅に応じた幅に設定している（両者を同じ幅に設定するか、あるいは、両者の差を、係合爪部１３ａ，１３ｂ，１３ｃ，１３ｄを挿入可能な程度の微小な差に設定している）。また、レンズ１１とアングル部２０との間にはアングル部２０との当接面に弾性シート１２ｂが備えられた基板１２が挟み込まれている。また、レンズ１１の厚さ方向に対する熱膨張量は、レンズ１１の長手方向への熱膨張量に比べて比較的小さい。このため、光源Ｌ１〜Ｌ３で生じた熱に起因してレンズ１１に厚さ方向への熱膨張が生じたとしても、この熱膨張については弾性シート１２ｂの弾性変形によって吸収することができ、レンズ１１とアングル部２０とのレンズ１１の厚さ方向についての相対位置および相対角度を略一定に保つことができる。また、レンズ１１の厚さ方向への熱膨張に起因してレンズ１１とアングル部２０との間に作用する応力は弾性シート１２ｂによって軽減されるので、当該方向に作用する応力によってレンズ１１の破損や音鳴りが生じることを防止できる。
【００７５】
また、レンズ１１は、アングル部２０の先端部２２とシャーシ２の平面部（先端部２２との対向部）の間にアングル部２０の弾性力によって弾性的に保持されているので、光源Ｌ１〜Ｌ３で生じた熱に起因してレンズ１１に幅方向（基板１２の基板面に平行、かつ基板１２の長手方向に垂直な方向。シャーシ２の平面部に垂直な方向。）への熱膨張が生じたとしても、この熱膨張についてはアングル部２０の弾性変形によって吸収することができ、レンズ１１とアングル部２０とのレンズ１１の幅方向についての相対的な移動量をアングル部２０の弾性変形の範囲内に制限することができる。
【００７６】
また、基板１２に設けられた挿入孔１２ｃ，１２ｄにおけるレンズ１１の幅方向（短手方向）の幅は、レンズ１１の突出部１３ｅ，１３ｆにおける当該方向の幅に応じた幅に設定されている。また、アングル部２０に設けられた挿入孔２３ｅ，２３ｆにおけるレンズ１１の幅方向（短手方向）の幅は、レンズ１１の突出部１３ｅ，１３ｆにおける当該方向の幅に応じた幅よりも広く設定されている。これにより、基板１２とレンズ１１との幅方向についての相対位置は熱膨張の有無にかかわらず略一定に維持される。また、突出部１３ｅ，１３ｆは挿入孔２３ｅ，２３ｆに緩やかに嵌入しているので、レンズ１１および基板１２はアングル部２０に対してシャーシ２の表面に垂直な方向に移動可能になっている。すなわち、基板１２とレンズ１１とは、挿入孔１２ｃ，１２ｄと突出部１３ｅ，１３ｆの嵌合によりレンズ１１および基板１２の幅方向については互いの相対位置が変化しないように位置決めされており、アングル部２０に対して略一体的に移動する。これにより、レンズ１１の幅方向についての光軸のずれを防止できる。また、レンズ１１とアングル部２０との間に熱膨張量の差が生じた場合であっても、レンズ１１はシャーシ２と先端部２２との間で弾性的に保持されており、かつアングル部２０に対して相対的に移動可能なので、音鳴りや破損が生じることを防止あるいは抑制することができる。なお、挿入孔２３ｅ、２３ｆは必須の構成ではなく、少なくとも突出部１３ｅ，１３ｆが挿入孔１２ｃ，１２ｄに挿入されていれば基板１２に対するレンズ１１の上記垂直方向の位置を規定することができる。
【００７７】
このように、レンズ１１および基板１２は、アングル部２０に対して、これら各部材の長手方向について相対的に移動可能である一方、厚さ方向および幅方向への相対的な移動が制限される。また、レンズ１１と基板１２とは、これら各部材の幅方向については一体的に移動する。すなわち、レンズ１１および基板１２は、反射シート３の反射面に垂直な方向への移動、および反射シート３の反射面に平行かつ基板１２の基板面に垂直な方向への移動が規制されており、レンズ１１および基板１２の反射シート３の反射面に対する相対角度は略一定に維持されている。したがって、光源ユニット１０（レンズ１１および基板１２）が反射シート３の反射面に平行な方向（光源ユニット１０の長手方向）に移動した場合であっても、光源ユニット１０から出射される光の反射シート３の反射面に対する反射シート３の径方向への集光特性を略一定に保つことができるので、リングカバー５の全域を略均一な輝度で照明することができる。
【００７８】
なお、本実施形態では、アングル部２０の立設部２１をシャーシ２の平面部に対して略垂直に折り曲げているが、立設部２１のシャーシ２の平面部に対する傾斜角度はこれに限るものではない。シャーシ２の平面部とアングル部２０の立設部２１とが交差する方向であればよく、例えば、立設部２１のシャーシ２の平面部に対する傾斜角度を鋭角とし、光源Ｌ１〜Ｌ３の光軸がシャーシ２の平面部側を向くように、基板１２の基板面が反射シート３の反射面に対して垂直な方向よりも反射面側を向くようにしてもよい。すなわち、立設部２１とシャーシ２の主面とのなす角度が９０度よりも小さい構成としてもよい。
【００７９】
立設部２１とシャーシ２の主面とのなす角度を９０度よりも小さくすることにより、光源の光軸をシャーシ２の主面側（反射面側）に向けることができるので、反射面を介さずにリングカバー５に直接する入射する光を低減することができ、リングカバー５の発光面に輝度ムラが生じることを抑制できる。なお、立設部２１はシャーシ２の一部を折り曲げ加工することによって形成されるので、折り曲げ角度を調節するだけで立設部２１とシャーシ２の主面とのなす角度を９０度よりも小さい角度に容易に形成できる。
【００８０】
また、本実施形態では、レンズ１１に係合爪部（係合部）１３ａ〜１３ｄを設け、アングル部２０の先端部２２に係合穴部（被係合部）２３ａ，２３ｂ、シャーシ２の平面部におけるアングル部２０の近傍に係合穴部（被係合部）２３ｃ，２３ｄを設けているが、これに限るものではない。例えば、アングル部２０の先端部２２およびシャーシ２の平面部に係合爪部（係合部）を設け、レンズ１１にそれら各係合爪部に係合する係合穴部（被係合部）を設けてもよい。
【００８１】
また、本実施形態では、シャーシ２の内縁部を折り曲げることによってアングル部２０を形成しているが、これに限るものではない。例えば、アングル部２０をシャーシ２とは別体に設けてシャーシ２に取り付けてもよく、シャーシ２の内縁部を絞り加工によって立設させることでアングル部２０を形成してもよい。
【００８２】
（１−３．光源ユニット１０に備えられるレンズ１１の構成および光学特性）
（１−３−１．照明装置１の外縁部近傍における輝度低下の防止）
図１に示したように、本実施形態では、シャーシ２を略円板状に形成し、このシャーシ２の表面に平板状の反射シート３を取り付けている。これにより、例えば図８に示す比較例にかかる照明装置１０００のように外縁部に向かうほど床面側に湾曲した形状を有するシャーシ１００２を用いる場合よりも、照明装置１の厚さを薄型化できるようになっている。
【００８３】
ところで、リングカバー５の略全域を略均一な輝度で発光させるためには、光源ユニット１０から出射される光によって反射シート３の略全域に均一な照度分布を形成する必要がある。ところが、本実施形態のように、平板状の反射シート３を用いて照明装置１を薄型化する場合、反射シート３の外縁側に向かうほど光源ユニット１０から反射シートまでの距離が遠くなるので、反射シート３の外縁側において照度が特に低下しやすくなる。詳細には、照度Ｅは単位面積あたりの光束を示す指標であり、光源から出射される光の光度Ｉに比例し、光源から反射シート３の光入射位置までの距離ｘの２乗に反比例し、ｃｏｓ２θ（θは光源から出射された光の反射シート３の表面に対する入射角度）に比例する（Ｅ∝（Ｉ・ｃｏｓ２θ）／ｘ２）。このため、照度Ｉは、反射シート３の外縁側に向かうほど小さくなるなりやすい。
【００８４】
そこで、従来の照明装置では、図８に示した比較例にかかる照明装置１０００のように、外縁側に向かうほど床面側に湾曲した形状を有するシャーシ１００２を用いることにより、光源からシャーシ１００２の各位置に向かう光出射角度の変化に応じた、光源とシャーシ１００２の光入射面とを結ぶ距離の変化を小さくすることで照度分布の均一化を図っている。
【００８５】
しかしながら、比較例にかかる照明装置１０００のようにシャーシ１００２を外縁側に向かうほど床面側に湾曲した形状にする場合、照明装置の厚さ（天井面に対して垂直な方向の高さ）が厚くなるので、室内空間の利用効率が低下し、ユーザに圧迫感を与えてしまう。また、一般に、天井に備えられる照明装置では、天井面を明るく照らすことにより、室内をより明るく感じさせられることが知られているが、比較例にかかる照明装置１０００では、照明装置１０００の外縁部から天井側あるいは天井に水平な方向に出射される光量が少なくなり、天井面を明るく照らすことができない。
【００８６】
そこで、本実施形態では、平板状の反射シート３を用いるとともに、光源Ｌ１〜Ｌ３から出射された光を反射シート３の外縁部近傍に主に集光させる光学特性を有するレンズ１１を用いることにより、反射シート３の外縁部に向かって出射される光の光度Ｉを増加させて反射シート３の反射面の略全域に略均一な照度分布を形成するようにしている。これにより、本実施形態にかかる照明装置１では、リングカバー５の略全域（主照明領域の略全域）を略均一な輝度で発光させることができ、かつ天井面を明るく照らすことができ、かつ照明装置１を薄型化して室内空間をより広く感じさせることができるようになっている。
【００８７】
図９は、レンズ１１を短手方向（床面側に配置される側）から見た平面図、長手方向から見た側面図、長手方向中央部の断面図（Ｃ−Ｃ断面図）、および長手方向端部近傍の断面図（Ｄ−Ｄ断面図）である。この図に示すように、光源ユニット１０の長さ（長手方向の長さ）は６６ｍｍである。また、光源ユニット１０の幅（リブ１４ａ，１４ｂにおけるアングル部２０の先端部２２との当接面からリブ１４ｃ，１４ｄ，１４ｇにおけるシャーシ２の平面部との当接面までの長さ）は２７．７ｍｍであり、アングル部２０の高さとほぼ等しい。また、係合爪部１３ａ，１３ｂの高さ（リブ１４ａ，１４ｂにおけるアングル部２０の先端部２２との当接面からの高さ）は１．２ｍｍであり、係合爪部１３ｃ，１３ｄの高さ（リブ１４ｃ，１４ｄにおけるシャーシ２の平面部との当接面からの高さ）は０．９ｍｍである。
【００８８】
また、レンズ１１は、光源Ｌ１〜Ｌ３に対向配置される光入射面１１ａ〜１１ｃと、光入射面１１ａ〜１１ｃからレンズ１１内に入射した光をほぼ全反射する全反射面１１ｄ，１１ｅと、光出射面１１ｆ〜１１ｇとを備えている。
【００８９】
光入射面１１ａ〜１１ｃは、光源Ｌ１〜Ｌ３側に凸となる曲面形状を有している。なお、本実施形態では、光源Ｌ１〜Ｌ３を、光入射面１１ｂにおけるレンズ１１の幅方向（天井面に垂直な方向）の略中心部に対向する位置に配置している。
【００９０】
全反射面１１ｄ，１１ｅは、レンズ１１の外側に向かって凸となる曲面形状を有している。なお、全反射面（第２全反射面）１１ｄと全反射面（第１全反射面）１１ｅとは、基板１２の基板面に垂直な直線に対して非対称な形状をしている。具体的には、全反射面１１ｄと全反射面１１ｅとは、これら両全反射面がなす曲面の接線と基板面に垂直な直線とのなす角度が、全反射面１１ｄの方が全反射面１１ｅよりも小さくなっている。
【００９１】
光出射面１１ｆ，１１ｈはレンズ１１の内側に凹となる曲面形状を有しており、光出射面１１ｇはレンズ１１の外側に凸となる曲面形状を有している。また、光出射面（第２凹面）１１ｆと光出射面（第１凸面）１１ｇとの接続部、および光出射面１１ｇと光出射面（第１凹面）１１ｈとの接続部は曲率が連続的に変化した滑らかな曲面になっている。
【００９２】
また、光出射面１１ｇにおけるレンズ１１の延伸方向に垂直な方向の頂点（凸面の中心）は、レンズ１１の長手方向中央部における頂点αよりも、レンズ１１の長手方向端部における頂点βの方が反射シート３側（反射面側）に位置している。これにより、基板１２の延伸方向両端部に位置する光源からレンズ１１に入射した光が、基板１２の延伸方向中央部に位置する光源からレンズ１１に入射した光と比較して反射シート３における径方向の中央部側に照射される。その結果、レンズ１１の延伸方向両端部から出射される光が反射面の外縁部で重畳することをより適切に防止できる。
【００９３】
図１０（ａ）および図１０（ｂ）は、光源Ｌ１〜Ｌ３から出射された光の軌跡を模式的に示した説明図である。
【００９４】
これら各図に示すように、光源Ｌ１〜Ｌ３から光入射面１１ａに入射した光は光入射面１１ａで屈折されて全反射面１１ｄに入射し、全反射面１１ｄで全反射されて光出射面１１ｆに入射する。また、光源Ｌ１〜Ｌ３から光入射面１１ｂに入射した光は光入射面１１ｂで屈折されて光出射面１１ｇに入射する。また、光源Ｌ１〜Ｌ３から光入射面１１ｃに入射した光は光入射面１１ｃで屈折されて全反射面１１ｅに入射し、全反射面１１ｅで全反射されて光出射面１１ｈに入射する。
【００９５】
そして、光出射面１１ｆ〜１１ｇに入射したこれらの光は、各光出射面で屈折されてレンズ１１の外部に出射され、反射シート３の外縁部近傍の領域に主に集光される。これにより、本実施形態では、リングカバー５の略全域に略均一な照度分布を形成できるようになっている。
【００９６】
なお、光源から出射された光を反射シート３の外縁部近傍の領域に主に集光されるためのレンズ１１の構成は上述した構成に限るものでない。例えば、全反射面１１ｄと全反射面１１ｅとを基板１２の基板面に垂直な直線に対して対称な形状とし、光源Ｌ１〜Ｌ３を光入射面１１ｂにおけるレンズ１１の幅方向（天井面に垂直な方向）の中心よりも光入射面１１ｃ側（天井面側）の位置に対向する位置に配置する構成としてもよい。ただし、当該構成では、製造誤差等によってレンズ１１と光源Ｌ１〜Ｌ３との相対位置あるいは相対角度が微妙にずれた場合の光源ユニット１０の光学特性に対する影響が、光源Ｌ１〜Ｌ３を光入射面１１ｂにおけるレンズ１１の幅方向（天井面に垂直な方向）の中心に対向する位置に配置する場合よりも大きくなる。このため、光源ユニット１０の光学特性のばらつきを防止するためには、上述した構成のように、光源Ｌ１〜Ｌ３を光入射面１１ｂにおけるレンズ１１の幅方向（天井面に垂直な方向）の略中心部に対向する位置に配置し、全反射面１１ｄと全反射面１１ｅとを基板１２の基板面に垂直な直線に対して非対称な形状にすることがより好ましい。すなわち、光源Ｌ１〜Ｌ３からレンズ１１の各光入射面１１ａ，１１ｃまでの距離をより長くすることにより、レンズ１１の位置ずれに起因する光学特性の低下をより適切に防止することができる。
【００９７】
（１−３−２．照明装置１の外縁部近傍における輝度むらの防止）
上述したように、本実施形態の反射シート１３のように反射面が平面である場合は特に、リングカバー５を全体的に均一に発光させるために、レンズ１１から出射された光が反射シート３の外縁部近傍の領域に主に集光されるようにレンズ１１を設計する必要がある。反射シート１３の外縁近傍の領域に光を集光させる場合、従来の照明装置のようにレンズ１１の光出射面の形状をレンズ１１の長手方向について一様な形状にすると、反射シート３の外縁部近傍の領域において隣接するレンズ１１から出射された光の集光領域が重畳する領域が生じ、輝度むらとして視認される場合がある。
【００９８】
これに対して、本実施形態では、図９に示したように、レンズ１１の光出射面１１ｇの形状を、レンズ１１の長手方向に沿って、長手方向中央部がレンズ１１の外側に向けて凸となった曲面形状にしている。これにより、光源Ｌ１〜Ｌ３から出射される光の反射シート３の反射面に平行な方向への出射角度を絞ることができる。したがって、反射シート３の反射面における外縁部近傍の領域において隣接して配置された光源ユニット１０から出射された光の集光領域が重畳することを防止あるいは軽減し、輝度むらとして視認されることを防止できるようになっている。
【００９９】
この点について、図１１〜図１３を参照しながらより詳細に説明する。図１１（ａ）は、本実施形態にかかるレンズ１１における光出射面の形状をレンズ１１の長手方向に沿って一様な形状に変更した比較例にかかるレンズ１０１１を用いた場合に、レンズ１０１１から出射される光の軌跡を模式的に示した説明図である。また、図１１（ｂ）は本実施形態にかかるレンズ１１から出射される光の軌跡を模式的に示した説明図である。図１２（ａ）は比較例にかかるレンズ１０１１によって反射シート３の外縁部近傍に集光される光の範囲を示した模式的に示した説明図であり、図１２（ｂ）は本実施形態にかかるレンズ１１によって反射シート３の外縁部近傍に集光される光の範囲を示した模式的に示した説明図である。また、図１３（ａ）は比較例にかかるレンズ１０１１を用いた場合のリングカバー５の各領域における輝度分布を示す説明図であり、図１３（ｂ）は本実施形態にかかるレンズ１１を用いた場合のリングカバー５の各領域における輝度分布を示す説明図である。
【０１００】
図１１（ａ）に示したように、比較例にかかるレンズ１０１１の場合、レンズ１０１１における光出射面がレンズ１０１１の長手方向に沿って一様な形状なので、レンズ１０１１から出射される光のレンズ１０１１の長手方向についての光の分布角度が比較的広くなる。その結果、図１２（ａ）に示したように、比較例にかかるレンズ１０１１を用いた場合には、反射シート３の外縁部近傍において隣接するレンズ１０１１から出射された光の集光領域が重畳する領域が生じる。このため、図１３（ａ）に示したように、隣接するレンズ１０１１から出射された光の集光領域が重畳する領域の輝度が周囲の領域よりも高くなり、輝度むらとして視認されてしまう。
【０１０１】
これに対して、図１１（ｂ）に示したように、本実施形態にかかるレンズ１１は長手方向中央部がレンズ１１の外側に向けて凸となった曲面形状を有しているので、反射シート３の反射面に平行な方向への出射角度を絞ることができ、レンズ１１から出射される光のレンズ１１の長手方向についての光の分布角度を比較的狭くできる。その結果、図１２（ｂ）に示したように、本実施形態にかかるレンズ１１を用いた場合には、反射シート３の外縁部近傍において隣接するレンズ１１から出射された光の集光領域が重畳することを防止あるいは低減できる。これにより、図１３（ｂ）に示したように、リングカバー５の略全域において輝度むらが生じることを防止あるいは低減できる。
【０１０２】
なお、本実施形態のように反射面を平板状に形成する場合には、リングカバー５を均一に発光させるために、反射面の外縁部近傍に主に光が集光されるように各レンズ１１を設計する必要がある。また、そのように各レンズ１１によって反射面の外縁部近傍に主に光が集光される構成とすると、反射面の外縁部近傍において隣接して配置されたレンズ１１からの出射光が重畳する領域が生じた場合に、当該領域の輝度が特に高くなり、輝度むらとして顕在化しやすくなる。これに対して、本実施形態のように、レンズ１１の光出射面１１ｇの形状をレンズ１１の長手方向に沿って長手方向中央部がレンズ１１の外側に向けて凸となった曲面形状にすることにより、反射面の外縁部近傍において隣接して配置されたレンズ１１からの光が重畳することを防止あるいは抑制して輝度むらが生じることを防止できる。すなわち、レンズ１１の光出射面１１ｇの形状を上記形状にすることによって得られる上記の効果は、本実施形態のように平面状の反射面を備えた構成において特に有効である。
【０１０３】
（１−３−３．光源ユニット１０同士の隣接部における輝度むらの防止）
また、実施形態では、各光源ユニット１０に備えられるレンズ１１における長手方向の両端部の形状を、隣接して配置されるレンズ１１同士の端部の対向面がなす角度（あるいは対向面の接線がなす角度）θが０°よりも大きい角度になる形状にしている。これにより、本実施形態では、隣接して配置されるレンズ１１同士の端部の対向部近傍においてスジ状の輝度むらが生じることを防止している。
【０１０４】
この点について、図１４および図１５を参照しながらより詳細に説明する。図１４（ａ）は隣接して配置されるレンズ同士の対向面が平行になるように形成された比較例にかかるレンズ１０１１を用いる場合の、隣接して配置されるレンズ同士の関係を示す説明図である。図１４（ｂ）は、本実施形態にかかるレンズ１１を用いる場合の隣接して配置されるレンズ同士の関係を示す説明図である。また、図１５（ａ）は比較例にかかるレンズ１０１１を用いる場合にレンズ１０１１同士の隣接部の近傍に生じるスジ状の輝度むらＸを示す説明図である。また、図１５（ｂ）は本実施形態にかかるレンズ１１を用いる場合の隣接するレンズ１１同士の近傍に生じるスジ状の輝度むらＹの状態を示す説明図である。
【０１０５】
図１４（ａ）に示したように、比較例にかかるレンズ１０１１を用いる場合、隣接するレンズ１０１１同士の対向面１０１１ｓが互いに平行になるように配置される。このため、図１４（ａ）に破線で示したように、隣接する各レンズ１０１１における他方のレンズ１０１１との対向面１０１１ｓに到達した光は、当該各対向面１０１１ｓで反射されて照明装置の径方向に近い方向に出射される。これにより、隣接するレンズ１０１１同士の対向部近傍において略同方向に出射される光により、スジ状の輝線が生じる。その結果、図１５（ａ）に示すように、リングカバー５におけるセンターカバー６との隣接部においてスジ状の輝度むらとして視認されてしまう。なお、レンズ同士の対向領域では、光源から出射されて当該領域に到達する光量がレンズ１１の長手方向中央部に比べて少ないことから、長手方向中央部に比べて少し暗くなる。このため、上記のようなスジ状の輝線が生じると、輝度むらとして特に視認されやすい。
【０１０６】
これに対して、本実施形態にかかるレンズ１１を用いる場合、隣接するレンズ１１の対向面１１ｓ同士の間隔が照明装置１の外縁側へ向かうほど広くなり、かつ隣接するレンズ１１同士の対向面１１ｓのなす角度（あるいは対向面１１ｓ同士の接線がなす角度）θが、０°よりも大きい角度、すなわち対向面１１ｓ同士が非平行になる角度に設定されている（図１４（ｂ）に示した例ではθ＝４５°）。
【０１０７】
これにより、図１４（ｂ）に破線で示したように、隣接する各レンズ１１における他方のレンズ１１との対向面１１ｓで反射された光は、各レンズ１１の長手方向に近い方向に出射される。これにより、隣接するレンズ１１同士の隣接部において出射される光の出射方向を、互いにより離れる方向とすることができる。したがって、図１５（ｂ）に示すように、隣接する両レンズの両端部から出射された光によるスジ状の輝度むらが生じることを抑制できる。
【０１０８】
また、図１５（ｂ）に示したように、隣接する各レンズ１１における他方のレンズ１１との対向面１１ｓを介して出射される光を各レンズ１１における長手方向に沿った光出射面に近い方向（照明装置１の周方向に近い方向）に出射させることができるので、輝度が高くなる範囲を照明装置の径方向で短くすることができる。これにより、上記の輝度が高くなる範囲を、レンズ１１における長手方向に沿った光出射面の近傍に配置されたセンターカバー６の遮光部６ｂで遮蔽して照明装置１の外部に出射しないようにすることができる。また、遮光部６ｂの外側に上記の輝度が高くなる範囲が多少はみ出たとしても、遮光部６ｂの外側の領域に位置する透光性を有する円板部６ａはリングカバー５と重なり合っているため、この領域から出射される光を円板部６ａおよびリングカバー５によって十分に拡散することができる。したがって、主照明領域（リングカバー５が配置されている領域）においてスジ状の輝度むらが視認されることをより確実に防止できる。
【０１０９】
換言すれば、隣接する各レンズ１１における他方のレンズ１１との対向面１１ｓで反射して出射される光をレンズ１１における長手方向に沿った光出射面に近い方向（照明装置１の周方向に近い方向）に限定することができるので、輝度むらの生じるおそれのある領域を光源ユニット１０から近い領域に制限することができる。したがって、輝度むらが生じるおそれのある領域を覆うためのセンターカバー６の面積を小さくすることができ、その分、リングカバー５の面積を大きくして主照明領域の範囲を広げることができる。
【０１１０】
なお、本実施形態では、上記角度θは０°よりも大きければいいものとしたが、スジ状の輝度むらの抑制効果を十分に得るためには、上記角度θは、３０度以上であることが好ましく、４５度程度であることがより好ましい。
【０１１１】
ただし、上記角度θが大きすぎると、光源から出射された光がレンズ１１の長手方向の端面で反射せずに当該端面から出射され、反射シート３の反射面を介さずに直接リングカバー５に照射されて輝度むらが発生してしまう場合がある。また、上記角度θが大きすぎると、レンズ１１における長手方向に沿った光出射面の面積が小さくなるので、反射シート３における周方向の全域にわたって均一な照度分布を形成することが困難になる場合がある。
【０１１２】
このため、上記角度θは、レンズ１１における隣接するレンズ１１との対向面に最も近い位置に配置される光源から出射される光の当該対向面に対する入射角（上記対向面の法線と上記光との間の角）が臨界角（全反射が生じる最小角度）以上になる角度であることが好ましい。すなわち、上述したように、各光源は当該各光源から出射される光の主軸方向が基板１２の基板面に対して垂直になるように配置されているので、基板面法線方向に出射される光の光量が最も多く、基板面法線方向に対する傾斜角度が大きくなるほど出射光の光量が少なくなる。このため、レンズ１１の長手方向の端部に到達する各光源から出射された光の光量は、当該端部に近い光源から出射された光ほど強くなる。したがって、レンズ１１の長手方向の端面を当該端面から最も近い光源から出射された光が全反射する角度にしておくことにより、当該光源から出射された光が隣接するレンズ１１の方向に出射されることを防止し、輝度むらをより適切に防止できる。
【０１１３】
また、上記角度θは、反射シート３の反射面に垂直な方向（リングカバー５（あるいはセンターカバー６）と光源ユニット１０との対向方向）から見たときに、レンズ１１の端面から出射された光がリングカバー５（あるいはセンターカバー６）に入射して形成される輝線と、レンズ１１の光出射面の接線とのなす角度が４５度以下になるように設定することが好ましい。また、本実施形態のように略円形形状の照明装置１の場合、上記角度θは、レンズ１１の端面から出射された光がリングカバー５（あるいはセンターカバー６）に入射して形成される輝線と、照明装置１が成す円形形状の半径方向とが成す角度が４５°よりも大きくなるように設定することが好ましい。これにより、輝度むらが生じるおそれのある領域を覆うためのセンターカバー６の面積をより小さくすることができ、その分、リングカバー５の面積を大きくして主照明領域の範囲をより広げることができる。
【０１１４】
（１−４．反射シート３の構成および取付方法）
次に、反射シート３のシャーシ２に対する取付方法について説明する。
【０１１５】
なお、本実施形態では、上述したように、シャーシ２の形状が略平板状であり、この略平板状のシャーシ２に対して平面状の反射シート３を取り付けている。光源としてＬＥＤを用いた従来のシーリングライトでは、発光面の輝度の均一化を図るために、上記図８に示した比較例のように反射面を湾曲させることが一般的であった。また、従来から公知の反射シートの中には、曲面形状の取付面に対して取付可能な特殊なものも存在はするが、平面に取り付けられる反射シートに対して非常に高価であった。このため、従来のシーリングライトでは、湾曲形状のシャーシを用いるとともに、反射シートを用いずにシャーシの表面に白色塗料による塗装を施して反射面とするのが一般的であり、９０％程度の反射率しか得られなかった。これに対して、本実施形態では、反射シート３をシャーシ２に対して平面状に取り付ける構成としており、それによって比較的安価な平面状の反射シート３を用いることを可能とし、９９％以上の高い反射率を得ている。ただし、本発明は反射シート３を用いる構成に限定されるものではなく、シャーシ２の表面に光反射性を有する塗料（白色塗料等）を塗布するなどしてシャーシ２の表面を反射面として用いてもよい。
【０１１６】
図１６は、反射シート３をシャーシ２に取り付ける前の状態を示した説明図である。この図に示すように、反射シート３の外縁部はシャーシ２の外縁部に応じた略円形の形状を有している。
【０１１７】
また、反射シート３の内縁側の端部３ｇは、各アングル部２０の折り曲げ部（各アングル部２０とシャーシ２との折り曲げ部）に対応する形状を有している。すなわち、反射シート３の内縁側の端部３ｇは、各アングル部２０によって形成される略八角形の形状に応じた形状を有している。また、反射シート３の内縁部における略八角形の形状の各角部（各アングル部２０における先端部２２の両端部に対応する位置。すなわちアングル部２０同士の間に対応する位置）には、反射シート３の外縁部が成す円の径方向に沿って溝状に切り込まれたスリット３ａが設けられている。また、反射シート３の内縁側におけるシャーシ２に設けられた係合穴部２３ｃ，２３ｄに対応する位置には、端部３ｇを係合穴部２３ｃ，２３ｄに応じた形状に切り欠いた切欠部３ｂ，３ｃが設けられている。
【０１１８】
また、反射シート３における上記の各スリット３ａに対して反射シート３の径方向外側に対向する位置（第１領域）には、取付用クリップ（取付部材）３１ａを挿入するための挿入孔３ｄが設けられている。また、反射シート３における挿入孔３ｄよりも径方向外側、かつ各アングル部２０とシャーシ２との折り曲げ部が成す線分（稜線）の中点を通るシャーシ２の外縁部が成す円の放射線上の位置（第２領域）には、取付用クリップ（取付部材）３１ｂを挿入するための挿入孔３ｅが設けられている。すなわち、各挿入孔３ｅの方が各挿入孔３ｄよりも径方向外側に設けられており、かつ各挿入孔３ｄと各挿入孔３ｅとは周方向について互い違いに設けられている。
【０１１９】
図１７は、反射シート３をシャーシ２の表面に設置するときの様子を示す説明図である。この図に示すように、反射シート３をシャーシ２の表面に被せると、反射シート３の内縁側の端部３ｇがアングル部２０の先端部２２に当接して乗りかかるようになる。しかしながら、反射シート３における各アングル部２０の両端に対応する位置にはスリット３ａが設けられているので、反射シート３におけるアングル部２０の先端部２２に乗りかかった部分をシャーシ２側に軽く押すと、反射シート３におけるスリット３ａ同士の間の部分が撓んで先端部２２との当接部を通過する。これにより、反射シート３の全体がシャーシ２上に平面状に配置される。
【０１２０】
なお、上述したように、本実施形態では、アングル部２０がシャーシ２の一部を折り曲げることによって形成されているため、シャーシ２の表面におけるアングル部２０の近傍においても段差が生じることなく反射シート３を平面状に設置できる。すなわち、アングル部２０をシャーシ２と別体に設ける場合にはシャーシ２とアングル部２０とが重畳する部分が生じるのでアングル部２０の板厚に応じた段差、およびアングル部２０をシャーシ２に固定するためのネジの頭部に応じた段差が生じるが、本実施形態ではアングル部２０とシャーシ２とは１枚の板状部材を折り曲げた一体構造なので、そのような段差が生じない。
【０１２１】
また、本実施形態のように、アングル部２０とシャーシ２とを一体構造にする場合、従来の照明装置のようにシャーシの表面に反射シートを取り付けてからアングル部をシャーシに取り付けることができないので、アングル部２０の上からシャーシ２に対して反射シート３を取り付ける必要がある。これに対して、本実施形態の構成によれば、反射シート３がアングル部２０の先端部２２の両端部に対応する位置にスリットを有しているので、取り付け時に反射シート３を部分的に撓ませるができる。したがって、アングル部２０が反射シート３の取り付けの邪魔になることを防止し、反射シート３をシャーシ２の表面におけるアングル部２０の先端部２２に対向する領域まで覆うように容易に取り付けることができる。
【０１２２】
また、反射シート３の内縁側の端部３ｇには、係合穴部２３ｃ，２３ｄに応じた形状に切り欠かれた切欠部３ｂ，３ｃが設けられている。そして、反射シート３を設置した後、光源ユニット１０をアングル部２０に取り付ける際には、光源ユニット１０の係合爪部１３ｃ，１３ｄが切欠部３ｂ，３ｃを介してシャーシ２の係合穴部２３ｃ，２３ｄに挿入されて係合される。これにより、反射シート３は、レンズ１１のリブ１４ｃ，１４ｄによってシャーシ２に押し付けられる。また、反射シート３は、シャーシ２における外縁側の端部から光源ユニット１０とシャーシ２との間の領域を経てアングル部２０とシャーシ２との折り曲げ部に至るまでの領域において平面状に配置される。これにより、レンズ１１における全反射面１１ｅからシャーシ２側に漏れる光がある場合でも、その光をレンズ１１とシャーシ２との対向部まで延伸するように配置された反射シート３によって反射させて有効利用することができる。
【０１２３】
そして、反射シート３を上記のようにシャーシ２上に配置した後、各挿入孔３ｄ，３ｅを介して取付用クリップ３１ａ，３１ｂをシャーシ２における各挿入孔３ｄ，３ｅに対応する位置に設けられた挿入孔２４ａ，２４ｂに挿入することより、反射シート３がシャーシ２に固定される。
【０１２４】
図１８は、取付用クリップ３１ａ，３１ｂを反射シート３の挿入孔３ｄ，３ｅを介してシャーシ２の挿入孔２４ａ，２４ｂに挿入した状態を示す説明図である。この図に示すように、取付用クリップ３１ａ，３１ｂは、頭部３２と、被挿入部３３と、被挿入部３３の先端を径方向に沿って切り欠いたスリット部３４とを備えている。また、被挿入部３３は、挿入孔３ｄ，３ｅの内径よりも外径が長い先端部と挿入孔３ｄ，３ｅの内径よりも外径が狭い根元部とを有している。なお、本実施形態では、反射シート３の厚さは０．５ｍｍであり、シャーシ２の厚さは１．５ｍｍであり、上記根元部の長さは２．０ｍｍとしている。
【０１２５】
取付用クリップ３１ａ，３１ｂにおける被挿入部３３の先端部を反射シート３の挿入孔３ｄ，３ｅに押し込むと、被挿入部３３の先端部の外周側が挿入孔３ｄ，３ｅに当接してスリット部３４の幅が縮まる方向に被挿入部３３の先端部が弾性変形する。そして、取付用クリップ３１ａ，３１ｂをさらに押し込むと被挿入部３３の先端部が反射シート３の挿入孔３ｄ，３ｅを通過して先端部の弾性変形が解除され、先端部の外径が挿入孔３ｄ，３ｅの内径よりも広がる。これにより、取付用クリップ３１ａ，３１ｂはシャーシ２と反射シート３とを挟み込むようにして反射シート３が反射面に垂直な方向に移動することを規制する。これにより、反射シート３が熱膨張等によって伸縮し、反射シート３の反射面が波打つことによってリングカバー５（主照明領域）に輝度むらが生じることを防止できる。
【０１２６】
なお、上述したように、取付用クリップ３１ａ，３１ｂの根元部の０外径は挿入孔３ｄ，３ｅの内径よりも狭くなっている。これにより、取付用クリップ３１ａ，３１ｂは、反射シート３がシャーシ２から浮き上がることを防止するとともに、反射シート３が面内方向に熱変形により伸縮した場合であっても、取付用クリップ３１ａ，３１ｂの根元部の外径と挿入孔３ｄ，３ｅの内径との差の範囲内で反射シート３の移動を許容するようになっている。
【０１２７】
図１９は、反射シート３をシャーシ２に取り付けた状態を示す説明図である。この図に示すように、反射シート３は、各挿入孔３ｄ，３ｅに挿入された取付用クリップ３１ａ，３１ｂによってシャーシ２に取り付けられる。
【０１２８】
また、図１９に示したように、反射シート３の外縁部近傍（第３領域）におけるシャーシ２側の面は両面テープ３５によってシャーシ２に固定される。なお、両面テープ３５は、この両面テープ３５よって反射シート３に反射特性に影響を及ぼすような段差が生じない程度の薄さであることが好ましい。
【０１２９】
このように、本実施形態では、厚さ０．５ｍｍの比較的厚い反射シート３を用いており、この反射シート３自身が有する腰の強さにより、反射シート３の熱変形が生じた場合であっても反射シート３が波打ちにくくなっている。
【０１３０】
また、本実施形態では、反射シート３における内縁側端部３ｇの近傍の領域を、レンズ１１、取付用クリップ３１ａ、およびネジ３６によってシャーシ２に取り付けている。これにより、反射シート３の内縁側端部３ｇの近傍は基板１２から伝熱される熱によって熱変形が生じやすいが、熱変形によって反射シート３が波打つことを適切に防止できるようになっている。
【０１３１】
なお、反射シート３の略全域を両面テープによってシャーシ２に貼り付けることも考えられるが、その場合には、特に内縁側に近い領域（アングル部２０に近い領域）において、例えば反射シート３とシャーシ２との間に閉じ込められた空気が熱膨張したり、反射シート３が熱変形するなどして反射シート３の波打ちが生じやすくなる。また、反射シート３の波打ちが生じると、リングカバー５における輝度分布が不均一となって輝度むらとして視認されてしまう場合がある。
【０１３２】
また、各挿入孔３ｄは各光源ユニット１０の間の領域、すなわち光源ユニット１０から出射される光が集光されにくい領域に配置されているので、各挿入孔３ｄに装着された取付用クリップ３１ａが照明装置１の光学特性に影響を及ぼすことを防止できる。
【０１３３】
また、各挿入孔３ｅは、各挿入孔３ｄよりも径方向外側に設けられており、かつ各挿入孔３ｄと各挿入孔３ｅとは周方向に沿って互い違いに設けられている。これにより、取付用クリップ３１ａ，３１ｂの取付位置を周方向に沿って分散させ、取付用クリップ３１ａ，３１ｂの取付位置が反射シート３上で部分的に偏ることなく均等に配置されるので、反射シート３が波打つことをより好適に防止することができる。
【０１３４】
なお、各挿入孔３ｅの反射シート３の径方向についての位置が径方向外側すぎると、当該位置におけるリングカバー５までの距離が短くなりすぎて、当該各挿入孔３ｅに挿入された取付用クリップ３１ｂあるいは取付用クリップ３１ｂによって反射された光に起因する輝度むらがリングカバー５を介して視認されてしまう場合がある。すなわち、照明装置１は外縁側へ向かうほど薄くなっており、反射シート３とリングカバー５との間隔は外延側へ向かうほど短くなっている。このため、反射シート３における外縁側近傍に反射シート３の反射面からリングカバー５側に突出する部材（例えば取付用クリップ３１ａ，３１ｂの頭部等）があると、当該突出部あるいは当該突出部によって生じる輝度むらがリングカバー５を介して視認されてしまう場合がある。このため、各挿入孔３ｅの反射シート３の径方向についての位置は、当該各挿入孔３ｅに挿入した取付用クリップ３１ｂとリングカバー５の間隔が、当該取付用クリップ３１ｂあるいは取付用クリップ３１ｂによって反射された光に起因する輝度むらがリングカバー５を介して視認されない程度の間隔である範囲内に配置することが好ましい。
【０１３５】
また、本実施形態では、各挿入孔３ｄ，３ｅを反射シート３の外縁が成す円の中心に対して点対称に配置している。これにより、これら各挿入孔３ｄ，３ｅに挿入された取付用クリップ３１ａ，３１ｂ、あるいは取付用クリップ３１ａ，３１ｂによって反射された光に起因する輝度むらがリングカバー５を介して視認された場合であっても、観察者が違和感を覚えにくい構成になっている。
【０１３６】
また、本実施形態では、反射シート３の外縁部近傍におけるシャーシ２側の面を両面テープ３５によってシャーシ２に固定している。これにより、反射シート３の反射面から突出する部材を用いる必要がなくなるので当該部材あるいは当該部材に起因する輝度むらがリングカバー５を介して視認されることを防止しつつ、反射シート３の外縁部がシャーシ２からめくれ上がることを防止できる。なお、反射シート３の外縁部近傍では、光源ユニット１０で生じた熱の影響が少なく、反射シート３の熱変形量は比較的小さいので、反射シート３を両面テープによってシャーシ２に貼り付ける構成としても、反射シート３の熱変形による波打ちはほとんど生じない。
【０１３７】
また、本実施形態では、シャーシ２の表面に反射シート３を取り付けているので、この反射シート３をシャーシ２に取り付けた後、シャーシ２に他の部材（例えば電源カバー７あるいはリングカバー５など）を取り付ける際に生じるゴミ（例えばネジを取り付ける際に生じる切り粉など）が光源ユニット１０から出射された光を反射するための反射面とリングカバー５との間に入り込むことを防止できる。これにより、反射面とリングカバー５との間に入り込んだゴミを取り除く工程を省略できるので、製造工程を簡略化してコストダウンを図ることができる。なお、上述した比較例のように反射シートを用いずにシャーシ２の表面を塗装して反射面として用いる構成の場合、リングカバーを取り付けた後、このリングカバーの取付時にリングカバーとシャーシとの間に入り込んだゴミ（ネジを取り付ける際に生じる切り粉など）を取り除くために、一旦取り付けたリングカバーを取り外して内部を清掃し、リングカバーを再度取り付けるといった処理が必要であった。
【０１３８】
なお、本実施形態では、反射シート３の外縁部近傍を両面テープ３５によってシャーシ２に固定しているが、これに限るものではない。例えば、反射シート３の外縁とシャーシ２の外縁とを留具で挟み込むことによって反射シート３の外縁をシャーシ２の外縁に固定するようにしてもよい。また、上記留具として、例えば、リングカバー５の内部に虫やゴミ等が入ることを防止するためのシール部材（シャーシ３とリングカバー５との間の空間を照明装置１の外部から遮蔽するための遮蔽部材）としての機能を兼ねるものを用いてもよい。図２０（ａ）〜図２０（ｃ）は、このような機能を有する留具３７を用いる場合の留具３７の構成および取付方法を示す説明図である。
【０１３９】
図２０（ａ）に示すように、留具３７は、シャーシ２および反射シート３の外縁が成す円に応じた形状を有する円環状の部材であり、例えば弾性を有するゴムあるいは樹脂からなる。また、図２０（ｂ）に示すように、留具３７は、径方向内側に開口した第１溝部３７ａと、径方向外側に開口した第２溝部とを有する略Ｓ字状の断面形状を有している。なお、第１溝部３７ａの最深部の内径は、シャーシ２および反射シート３の外径と略同様に設定されている（本実施形態では６３３．４ｍｍ）。また、本実施形態では、留具３７を照明装置１に装着する前の状態における留具３７の径方向の幅は６ｍｍであり、径方向に垂直な方向（シャーシ２および反射シート３が備えられる面に垂直な方向）の幅は５ｍｍとしている。
【０１４０】
留具３７を取り付けるときには、まず、図２０（ｃ）に示すように、留具３７の第１溝部３７ａにシャーシ２および反射シート３の全周を挟み込ませる。この際、留具３７における第２溝部３７ｂ側がシャーシ２における反射シート３が配置される側とは反対側に配置されるようにする。その後、シャーシ２における反射シート３が配置される側とは反対側にリングカバー５の外縁を取り付ける。リングカバー５の外縁部は、図２０（ｃ）に示したように、先端部が照明装置１の内径側に折り返された断面が略コの字形の形状を有している。そして、このリングカバー５の先端部を、留具３７における反射シート３が配置される側とは反対側の面に当接させ、留具３７の第２溝部３７ｂの幅を縮める方向に留具３７を押し付けるようにしてリングカバー５をシャーシ２に取り付ける。なお、リングカバー５の一部をネジ等によってシャーシ２に取り付けるようにしてもよい。これにより、リングカバー５とシャーシ２との間を留具３７によってシールして虫やゴミがリングカバー５の内部にはいることを防止するとともに、反射シート３の外縁をシャーシ２の外縁に取り付けることができる。
【０１４１】
（１−５．区画ユニット４の構成）
次に、区画ユニット（反射部材）４の構成について説明する。図２１は、区画ユニット４、ならびに、当該区画ユニット４に取り付けられる前の常夜灯光源ユニット（第１光源、光源）１０１および反射板１０２の構成を示す説明図である。また、図２２は、区画ユニット４の斜視図、上面図、側面図および底面図である。以下、区画ユニット４に常夜灯光源ユニット１０１および反射板１０２が取り付けられたものを副照明ユニット１００と呼ぶ。
【０１４２】
区画ユニット４には、図２１および図２２に示すように、常夜灯光源ユニット１０１を収納する光源収納部１０３が設けられている。光源収納部１０３は、区画ユニット４の中央部側に向かって開口し、光を通過させる光通過口（通過部）１０３−１を備え、その光通過口１０３−１から、自身が収納する常夜灯光源ユニット１０１の光を区画ユニット４の周縁部、または、当該周縁部よりも中央部側に向かって出射する。区画ユニット４には、この光源収納部１０３が４個設けられており、各光源収納部１０３は、区画ユニット４に設けられた円形の開口部の周辺に沿って、略等間隔で配置されている。
【０１４３】
もちろん、光源収納部１０３の個数は４個に限られるものではない。上述したとおり、区画ユニット４は、光源ユニット（第２光源）１０から出射された光によって照明される領域である主照明領域（第２発光面）と、主照明領域の内側に形成される副照明領域（第１発光面）とを離隔するものである。そして、副照明領域は、光源収納部１０３に収納される常夜灯光源ユニット１０１から出射された光によって照明される領域である。光源収納部１０３の個数、すなわち、常夜灯光源ユニット１０１の個数は、副照明領域に要求される輝度や、副照明領域内における輝度の均一性等に応じて決められるものである。したがって、光源収納部１０３の個数は、４個以上であってもよいし、４個以下であってもよい。また、各光源収納部１０３同士の間隔は、副照明領域内における輝度の均一性の観点からは、上述の略等間隔が好ましい。
【０１４４】
区画ユニット４には、図２１および図２２に示すように、後述の、筒状リブ１０４および３個の保持爪部１０５がさらに設けられている。筒状リブ１０４は、その底部には、樹脂モールドされた砲弾型光源（図示省略）が配置されており、その砲弾型光源から出射される光を、底部から先端部に向けて、導光するものである。３個の保持爪部１０５は、アダプタ９が、電源カバー８、電源基板７、シャーシ２、反射シート３、および区画ユニット４に設けられた開口部を介して天井に設けられた天井側取付部材に取り付けられる際、アダプタ９の電源ケーブルを、アダプタ９の周囲に沿って保持するためのものである。筒状リブ１０４および３個の保持爪部１０５については後述する。
【０１４５】
区画ユニット４は、例えば金型等を用いて、一体成型することができる。区画ユニット４の形状を規定する金型に樹脂等を流し込んで区画ユニット４を成型してもよい。ここで、区画ユニット４は、各光源収納部１０３の光通過口１０３−１から区画ユニット４の中央部側に向かって出射される光を、自身の内部の内面（反射面）にて反射し、当該内面に対向するセンターカバー（カバー）６側に向かわせるものである。また、各光源収納部１０３内においては、常夜灯光源ユニット１０１の光を、笠部１０３−２の内面、２つの側壁部１０３−３の内面にて反射し、光通過口１０３−１側に向かわせるものである。さらに、上述したとおり、各光源収納部１０３が区画ユニット４に設けられた円形の開口部の周辺に沿って略等間隔で配置されていることから、各光通過口１０３−１は区画ユニット４の上記内面の周囲に沿って略等間隔で配置されていると言える。
【０１４６】
したがって、区画ユニット４を成型するための樹脂等は、少なくとも、光を透過しない非光透過性を備えるものである。さらに、上述の反射効率を高める点からは、光を反射する光反射性を備えることが好ましい。このような点から、区画ユニット４を成型するための樹脂等は、例えば、均白色のポリカーボネートを用いることができる。
【０１４７】
上述したように、各光源収納部１０３の光通過口１０３−１は、自身が収納する常夜灯光源ユニット１０１の光を区画ユニット４の周縁部、または、当該周縁部よりも中央部側に向けて出射する。これにより、常夜灯光源ユニット１０１の光は区画ユニット４の内面にて一旦反射した後にセンターカバー６に照射されることになる。センターカバー６が区画ユニット４の内面に対向して配置され、当該内面とセンターカバー６との間に光通過口１０３−１が配置されているからである。
【０１４８】
このような光の出射の仕方、つまり、光通過口１０３−１の配光制限の仕方は、光通過口１０３−１を通過する光が、上述のセンターカバー６に直接照射されてしまうことを防ぐことを目的とするものである。光通過口１０３−１を通過した光がセンターカバー６に直接照射されてしまうと、その光の指向性に起因して、センターカバー６からの出射光に輝度ムラが生じてしまうからである。
【０１４９】
（１−６．副照明ユニット１００の構成）
図２３は、区画ユニット４に常夜灯光源ユニット１０１および反射板１０２が取り付けられた副照明ユニット１００の上面図、当該上面図に示したＧ−Ｇ断面およびＨ−Ｈ断面の各断面図である。
【０１５０】
図２３に示すように、光源収納部１０３は、笠部１０３−２と２つの側壁部１０３−３とに囲まれており、笠部１０３−２とは反対側より、光源収納部１０３に反射板１０２が装着されている。笠部１０３−２、２つの側壁部１０３−３、および、反射板１０２により、常夜灯光源ユニット１０１を収納する収納空間を形成している。常夜灯光源ユニット１０１は、このようにして形成された収納空間内に、光通過口１０３−１とは反対側より、挿入されている。この挿入から、常夜灯光源ユニット１０１は、光通過口１０３−１から見て、区画ユニット４（の上記内面）の周縁部側に配置されていると言える。
【０１５１】
図２４は、常夜灯光源ユニット１０１の正面図（光通過口１０３−１から常夜灯光源ユニット１０１を見た面の平面図）、底面図（反射板１０２側から常夜灯光源ユニット１０１を見た面の平面図）、および、側面図（側壁部１０３−３側から常夜灯光源ユニット１０１を見た面の平面図）である。
【０１５２】
常夜灯光源ユニット１０１は、図２４に示すように、支持基板Ｂ１０１と、光源（ＬＥＤ）Ｌ１０１と、コネクタＣ１０１と、コネクタＣ１０２と、を備えている。支持基板Ｂ１０１は、光源Ｌ１０１、コネクタＣ１０１およびコネクタＣ１０２を光源収納部１０３内に配置されるように、光源収納部１０３に装着される。この装着を実現すべく、支持基板Ｂ１０１の形状は、図２２における底面側より、光源収納部１０３に嵌めこみ可能な形状となっている。光源収納部１０３に収納した後に反射板１０２で蓋をすることで、光通過口１０３−１からのみ光が出射可能である。また、支持基板Ｂ１０１の材質は特に限定されるものではないが、一般的には、支持基板Ｂ１０１を介して光源Ｌ１０１で生じた熱を区画ユニット４に伝熱して放散させることができるように、熱伝導性が高い材質を用いることが好ましい。本実施形態では、光源Ｌ１０１は副照明（すなわち、常夜灯）として用いられており、それゆえ、光源Ｌ１０１に投入する電力は主照明の場合と比較して小さくなるのが通常である。このため、光源Ｌ１０１からの発熱量は小さくなるので、熱伝導性の低い材質を用いても構わない。
【０１５３】
さらに、支持基板Ｂ１０１は、光源Ｌ１０１の光を、光通過口１０３−１側に向かわせることができるよう、光を透過しない非光透過性を備えることが好ましく、光を反射する光反射性を備えることがより好ましい。
【０１５４】
光源Ｌ１０１は、常夜灯である副照明光を出射する。光源Ｌ１０１の出射光の色、光源の種類（色数）は、照明装置１の副照明領域のサイズや形状、副照明領域から出射される副照明光に要求される輝度等に応じて適宜変更されるものである。光源Ｌ１０１は、光源ユニット１０に備えられる光源光源Ｌ１〜Ｌ３と比較して、低出力のＬＥＤを用いることができる。光源Ｌ１０１は例えば電球色のＬＥＤを使用するが、光源Ｌ１０１に用いるＬＥＤの光色は電球色に限らず、昼光色や青色等他の光色のＬＥＤを使用しても良い。
【０１５５】
コネクタＣ１０１およびコネクタＣ１０２は、常夜灯光源ユニット１０１に電気配線（電源基板７に接続するための電気配線）の接続端子を接続するためのものである。
【０１５６】
反射板１０２は、光源収納部１０３の笠部１０３−２および２つの側壁部１０３−３と共に、常夜灯光源ユニット１０１を収納する収納空間を形成している。反射板１０２は、光源収納部１０３の笠部１０３−２とは反対側から、光源収納部１０３に装着されており、言い換えれば、光源収納部１０３の底部（天井側の面）を構成している。反射板１０２は、常夜灯光源ユニット１０１の光を、笠部１０３−２の内面、２つの側壁部１０３−３の内面と共に反射し、光通過口１０３−１側に向かわせるものである。したがって、反射板１０２は、光を透過しない非光透過性を備えることが好ましく、光を反射する光反射性を備えることがより好ましい。反射板１０２は反射率の高いものが好ましく、また、照明装置１の薄型化のため、反射板１０２は反射率９９％以上を有する反射シートを用いることが好ましい。また、反射板１０２の形状は、光源収納部１０３の笠部１０３−２とは反対側から、光源収納部１０３に嵌めこみ可能な形状となっている。
【０１５７】
（１−７．副照明ユニット１００の機能）
図２５および図２６は、光源Ｌ１０１から出射された光の軌跡を模式的に示した説明図である。具体的には、図２５および図２６においては、光源Ｌ１０１から出射された光が、区画ユニット４の光源収納部１０３内において反射された後に、光通過口１０３−１から区画ユニット４内に向けて進行する軌跡が示されている。光源Ｌ１０１の出射光は、先ず、光源収納部１０３の内部において、笠部１０３−２、２つの側壁部１０３−３および反射板１０２にて反射し、光通過口１０３−１を通過する光のみが区画ユニット４内に進行する。
【０１５８】
ここで、図２５に示したＩ部は、笠部１０３−２の、光通過口１０３−１側の辺（カバー側の辺）であり、笠部１０３−２の形状（特に、上記辺の形状）は、光通過口１０３−１を通過する光がセンターカバー６に直接照射されないように、区画ユニット４の上記内面側に窪んだ凹形状に規定されている。言い換えれば、笠部１０３−２の形状は、光通過口１０３−１を通過する光が一旦、区画ユニット４の内面に反射した後に、センターカバー６に照射されるように、区画ユニット４の上記内面側に窪んだ凹形状に規定されている。要は、常夜灯光源ユニット１０１の光源Ｌ１０１と光通過口１０３−１の上記辺の任意の点とを結ぶ直線が、区画ユニット４の上記内面を通るという条件を満足すればよい。また、光源Ｌ１０１と光通過口１０３−１の上記辺の任意の点とを結ぶ直線が区画ユニット４の周縁部を通ることがセンターカバー６を均一に発光させる上でより好ましい。この場合、光通過口１０３−１を通過する光は必ず、区画ユニット４の上記内面に到達し、反射することになるからである。もちろん、光源Ｌ１０１と光通過口１０３−１の上記辺を除く残余の辺に含まれる任意の点とを結ぶ直線についても、同様に、上記内面を通ることが必要となる。ただし、光通過口１０３−１側の上記辺に関し、上述の条件を満足すれば、本実施形態においては、残余の辺に関しても、上述の条件を満足することになる。
【０１５９】
具体的には、図２３のＧ−Ｇ断面の断面図に示したように、笠部１０３−２の形状は、常夜灯光源ユニット１０１側から光通過口１０３−１側に向かうにつれて、天井側（すなわち、センターカバー６側とは反対側）に傾斜している。この傾斜により、常夜灯光源ユニット１０１の光源Ｌ１０１の出射光は、笠部１０３−２にて反射しつつ光通過口１０３−１に向かうに従い、徐々に、その進行方向が天井側に収斂されていく。このため、光通過口１０３−１を通過する光は、センターカバー６に直接照射されず、区画ユニット４の内面に一旦反射した後、センターカバー６に照射されることになる。
【０１６０】
さらに、笠部１０３−２は、その幅方向（底面（反射板１０２）に直交する方向。常夜灯光源ユニット１０１側から光通過口１０３−１側に向かう方向と直行する方向（以下、「長さ方向」と呼ぶ））に沿った断面形状が凹形状となっている。図２３のＨ−Ｈ断面の断面図に示したように、笠部１０３−２の長さ方向に沿った中央が、２つの側壁部１０３−３側と比較し、天井側に凹んだ形状となっている。このような形状となる理由は、以下のとおりである。
【０１６１】
光源Ｌ１０１の出射光は、徐々に広がり、光通過口１０３−１を通過する。例えば、１つの光源収納部１０３から出射される光のうち、対向する光源収納部１０３に向かって進行する光（ここでは、「第１の光」と呼ぶ）と、隣接する光源収納部１０３側に向かって進行する光（ここでは、「第２の光」と呼ぶ）とでは、光を区画ユニット４の周縁部近傍に到達させるための、光源収納部１０３から区画ユニット４の周縁部を仰ぐ角度（仰角）が異なる。具体的には、前者よりも後者のほうが大きいことになる。なお、光源収納部１０３から出射された光は、この区画ユニット４の周縁部よりもセンターカバー６側に進行した場合、センターカバー６に直接照射されることになる。
【０１６２】
第１の光は、笠部１０３−２の長さ方向に沿った中央にて反射するものであり、第２の光は、笠部１０３−２の２つの側壁部１０３−３側にて反射するものである。このため、第１の光および第２の光の各々を区画ユニット４の周縁部の近傍まで到達させるには、光源収納部１０３から区画ユニット４の周縁部を仰ぐ角度に応じて、笠部１０３−２の幅方向に沿った断面形状を調節する必要がある。区画ユニット４はその形状が円形状であるため、図２３のＨ−Ｈ断面の断面図に示したとおり、笠部１０３−２の幅方向に沿った断面形状は、中央から２つの側壁部１０３−３側に向かって連続的に傾斜する凹形状となっている。
【０１６３】
図２５および図２６に示したように、光源収納部１０３から出射された光は、区画ユニット４内において反射されると共に、区画ユニット４の周縁部近傍まで到達させることができる。
【０１６４】
図２７は、副照明ユニット１００が照明する副照明領域における輝度分布を示す説明図である。図２７に示すように、副照明領域における輝度分布の均一化が図られている。
【０１６５】
このように、副照明ユニット１００は、常夜灯光源ユニット１０１から出射される光を、区画ユニット４の光源収納部１０３を用いて、センターカバー６に直接照射することなく、区画ユニット４の内面に一旦反射させた後、センターカバー６に照射させることができる。これにより、各光源収納部１０３から出射された光は、区画ユニット４内において、均一化され、副照明領域の輝度を均一化することができる。また、常夜灯光源ユニット１０１から出射される光とセンターカバー６との距離を大きくすること不要となる。これにより、照明装置１の薄型化を図ることができる。
【０１６６】
なお、区画ユニット４は円形状に限られるものではなく、例えば、図２８に示すように、矩形形状であってもよい。図２８は、矩形形状の区画ユニット４ａに常夜灯光源ユニット１０１および反射板１０２が取り付けられた副照明ユニット１００ａの上面図、当該上面図に示したＪ−Ｊ断面およびＫ−Ｋ断面の各断面図である。
【０１６７】
区画ユニット４ａと区画ユニット４とが異なる点は、光源収納部１０３ａの笠部１０３−２ａの形状と光源収納部１０３の笠部１０３−２の形状とが異なる点である。区画ユニット４ａは矩形形状であり、そのため、区画ユニット４ａの周縁部は、区画ユニット４の周縁部のような円弧とはならず、直線となる。このため、光源収納部１０３ａから区画ユニット４ａを仰ぐ角度（仰角）は、円形状である区画ユニット４とは異なり、連続的には変化しない。なぜなら、矩形形状の場合、１つの頂点を挟む一方の辺から他方の辺に沿って、その頂点を境に、仰角が大きく変化するからである。
【０１６８】
このため、図２８のＫ−Ｋ断面の断面図に示したように、光源収納部１０３ａの笠部１０３−２ａの幅方向に沿った断面形状は、光源収納部１０３の笠部１０３−２と同様、天井側に凹む凹形状となるものの、笠部１０３−２ａの長さ方向に沿った中央に頂点を持つ、凹形状となっている。
【０１６９】
さらに、上述したように、区画ユニット４ａの周縁部は、区画ユニット４の周縁部のような円弧とはならず、直線となる。このため、光源収納部１０３ａの笠部１０３−２ａの幅方向に沿った断面形状は直線状に変化する。
【０１７０】
もちろん、区画ユニット４の形状は、区画ユニット４ａのような矩形形状以外にも様々な形状にすることができる。光源収納部１０３の笠部１０３−２の形状は、区画ユニット４の形状に合わせて、適宜、調整すればよい。要は、区画ユニット４の各光源収納部１０３の出射光が、区画ユニット４の周縁部近傍まで到達し、且つ、区画ユニット４の周縁部よりも天井側にあるセンターカバー６に直接照射されないように、光源収納部１０３の笠部１０３−２の形状を適宜調整すればよい。
【０１７１】
（１−８．区画ユニット４の保持爪部１０５の機能）
次に、区画ユニット４の保持爪部（保持部）１０５の機能について説明する。図２９は、照明装置１の全体構成を示す斜視図、当該斜視図に示したＬ部の拡大図である。図３０は、区画ユニット４の上面図、当該上面図に示したＭ−Ｍ断面の断面図である。図３１は、リングカバー５およびセンターカバー６の上面図、当該上面図に示したＮ−Ｎ断面の断面図、当該断面図に示したＯ部の拡大図である。
【０１７２】
区画ユニット４には、図２９〜図３１に示すように、３つの保持爪部１０５が設けられている。これらの３つの保持爪部１０５は、上述したように、アダプタ９が、電源カバー８、電源基板７、シャーシ２、反射シート３、および区画ユニット４に設けられた開口部を介して天井に設けられた天井側取付部材（いわゆる、引掛シーリングあるいは引掛ローゼット）に取り付けられる際、アダプタ９の電源ケーブル１０７を、アダプタ９の周囲に沿って保持するためのものである。
【０１７３】
アダプタ９の電源ケーブル１０７の配置は重要である。通常、電源ケーブル１０７は、区画ユニット４の内部の内面（反射面）と、当該内面に対向するセンターカバー（カバー）６との間に配置される。言い換えれば、電源ケーブル１０７は、区画ユニット４の上記内面とセンターカバー６との間に形成された空間に配置されると言える。
【０１７４】
副照明領域とアダプタ９との位置が重なり合うため、アダプタ９の電源ケーブル１０７が光源収納部１０３から出射される光を遮る位置に配置された場合、電源ケーブル１０７による影が生じ、照明装置１の見栄えを損ねることになるからである。
【０１７５】
アダプタ９を電源カバー８や電源基板７等に設けられた開口部に接続する際における利用者の利便性を配慮し、電源ケーブル１０７をある程度余裕を持った長さにするのが通常である。電源ケーブル１０７の先端部にある電源コネクタ１０６を電源基板７に設けられた接続部１０８に差し込むには、電源ケーブル１０７をある程度はフレキシブルに動かせることが必要となるからである。
【０１７６】
したがって、副照明領域の見栄えをよくする上で、電源ケーブル１０７が光源収納部１０３から出射される光を遮ることがない位置に配置されるように、電源ケーブル１０７の収納方法を工夫することは必須となる。
【０１７７】
具体的には、図３０に示すように、上述の天井側取付部材の高さに応じて、アダプタ９の可動部９ａは、アダプタ装着部としての第１引掛部材９ｂまたは第２引掛部材９ｃに引っ掛けられ、照明装置１を天井側取付部材に固定する。例えば、天井側取付部材が高ければ、アダプタ９の可動部９ａは第１引掛部材９ｂに引っ掛けられる。一方、天井側取付部材が低ければ、アダプタ９（図中のアダプタ９´が対応）の可動部９ａは第２引掛部材９ｃに引っ掛けられる。
【０１７８】
このようにしてアダプタ９は区画ユニット４の開口部に装着され、図３１に示すように、アダプタ９から導出された電源ケーブル１０７が、その先端部の電源コネクタ１０６を用いて、電源基板７に設けられた接続部１０８に差し込まれる。
【０１７９】
本実施の形態では、区画ユニット４に３つの保持爪部１０５を設け、これらの保持爪部１０５を用いて、上述のようにして配置される電源ケーブル１０７をアダプタ９に周囲に沿って保持する。
【０１８０】
３つの保持爪部１０５は、図２９に示したように、光源収納部１０３の光通過口１０３−１よりも天井側に位置している。このような３つの保持爪部１０５により、センターカバー６に垂直な方向においては、電源ケーブル１０７が光源収納部１０３の光通過口１０３−１（すなわち、常夜灯光源ユニット１０１）よりも区画ユニット４の内部の内面側に位置するように保持される。すなわち、光通過口１０３−１を通過する光を遮る位置には配置されていない。このため、３つの保持爪部１０５を用いて、アダプタ９の周囲に沿うように巻き付けられつつ、保持される電源ケーブル１０７は光源収納部１０３の出射光を遮る位置から確実に除外することができる。
【０１８１】
また、保持爪部１０５は、区画ユニット４の開口部の周囲に設けられている。通常、区画ユニット４の開口部は、利用者がアダプタ９を区画ユニット４の開口部に挿入する際の利便性を考慮し、アダプタ９の大きさと比較し、ある程度大きな開口部となっている。上述したとおり、利用者は、アダプタ９を区画ユニット４の開口部に挿入する際、アダプタ９の可動部９ａを区画ユニット４の内縁部に当接させつつ、直径方向内側に押し込まなければならず、そのため、可動部９ａの可動範囲を確保するための間隙空間が上記開口部とアダプタ９との間に必要となるからである。
【０１８２】
本実施の形態では、この間隙空間の有効利用を図るべく、保持爪部１０５を区画ユニット４の開口部の周囲に設けている。これにより、アダプタ９の電源ケーブル１０７を上述の間隙空間に押し込みつつ、アダプタ９の周囲に沿って配置することができる。
【０１８３】
このようにして、アダプタ９の電源ケーブル１０７を光源収納部１０３の出射光を遮る位置から除外することができるので、副照明領域に電源ケーブル１０７による影が生じてしまうことを防止することができる。これにより、副照明領域の見栄えを損ねることを回避することができる。
【０１８４】
また、区画ユニット４とアダプタ９との間の間隙空間を用いて、電源ケーブル１０７をアダプタ９に周囲に沿って配置させることができるので、電源ケーブル１０７を収納するための空間を別途用意する必要もない。したがって、区画ユニット４の大型化、延いては、照明装置１の大型化を招くこともない。
【０１８５】
なお、保持爪部１０５の個数は３個に限られるものではない。保持爪部１０５を区画ユニット４の開口部の周囲の複数個所に設けることにより、アダプタ９を区画ユニット４の開口部に装着する際、アダプタ９に対する照明装置１本体の位置（向き）によらず、アダプタ９と電源ケーブル１０７との接続位置の近傍に保持爪部１０５が来るようにすることが容易となる。このことは、電源ケーブル１０７を保持爪部１０５に引っ掛ける作業の容易化につながり、その分だけ、電源ケーブル１０７を短くすることができる。これにより、電源ケーブル１０７の短縮化により、電源ケーブル１０７が光源収納部１０３の出射光を遮る機会を、より少なくすることができる。
【０１８６】
（１−９．区画ユニット４の筒状リブ１０４の機能）
次に、区画ユニット４の筒状リブ１０４の機能について説明する。図３０は、区画ユニット４の上面図、当該上面図に示したＭ−Ｍ断面の断面図である。図３１は、リングカバー５およびセンターカバー６の上面図、当該上面図に示したＮ−Ｎ断面の断面図、当該断面図に示したＯ部の拡大図である。
【０１８７】
図３０に示すように、筒状リブ１０４は、その底部には、樹脂モールドされた砲弾型光源Ｌ１０２が配置されている。この砲弾型光源Ｌ１０２は、照明装置１に予め設定されている各種のモードが動作中であるか否かを利用者に標示するための、所謂、インジケーターである。
【０１８８】
このようなインジケーターは、利用者による視認感度の高い緑色光を用いるのが通常であり、砲弾型光源Ｌ１０２は、例えば、緑色のＬＥＤを用いることができる。
【０１８９】
ところで、このようなインジケーターを、本実施の形態の区画ユニット４内に設けた場合、区画ユニット４から副照明光として床側に照射される光に、インジケーターの出射光が紛れてしまい、その標示機能が失われてしまうおそれがある。
【０１９０】
インジケーターの視認性向上からは、砲弾光源Ｌ１０２をセンターカバー６に近接させることが考えられる。しかし、その場合、砲弾光源Ｌ１０２がそれに付属する部品（例えば、砲弾光源Ｌ１０２を支持する基板Ｂ１０２や、当該基板Ｂ１０２から導出される電線）が光源収納部１０３の出射光を遮り、それにより、砲弾光源Ｌ１０２やその部品等による影が生じ、副照明領域の見栄えを損ねることになる。
【０１９１】
本実施の形態では、区画ユニット４に筒状リブ１０４を設け、その筒状リブ１０４の底部に砲弾型光源Ｌ１０２を配置する。筒状リブ１０４は、区画ユニット４と一体成型されるので、少なくとも、非光透過性、好ましくは、光反射性を備えている。
【０１９２】
したがって、筒状リブ１０４の底部に配置された砲弾型光源Ｌ１０２の出射光は、筒状リブ１０４の内部で反射しつつ、センターカバー６側である先端部に向けて、進行する。これにより、砲弾型光源Ｌ１０２の出射光は、センターカバー６の近傍に至るまで、集光されているので、利用者は、区画ユニット４の副照明光の中においても、砲弾型光源Ｌ１０２の出射光を視認可能となる。
【０１９３】
筒状リブ１０４の存在は、一般的には、副照明光を均一に発光させる上で障害となり、それゆえ、光の均一性を低下させる要因となるものである。それゆえ、筒状リブ１０４の高さに関しては、副照明光の均一性の妨げにならず、且つ、砲弾型光源Ｌ１０２の視認性を確保できるものに規定するのが重要な事柄である。
【０１９４】
本発明は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【符号の説明】
【０１９５】
１  照明装置
２  シャーシ（天面部）
２ａ  溝部
２ｂ  溝部
３  反射シート（天面部）
３ａ  スリット
３ｂ，３ｃ  切欠部
３ｄ，３ｅ  挿入孔
３ｆ  挿入孔
３ｇ  端部
４  区画ユニット
５  リングカバー
６  センターカバー
６ａ  円板部
６ｂ  遮光部
６ｃ  穴部
７  電源基板
８  電源カバー
９  アダプタ
９ａ  可動部
１０  光源ユニット（第２光源、光源）
１１  レンズ
１１ａ〜１１ｃ  光入射面
１１ｄ，１１ｅ  全反射面
１１ｆ〜１１ｈ  光出射面
１１ｓ  対向面
１２  基板
１２ａ  基板本体
１２ａ，１２ｂ  挿入穴部（係合凹部）
１２ｂ  弾性シート（シート状部材）
１２ｃ  挿入穴部（第１挿入孔）
１２ｄ  挿入穴部（第２挿入孔）
１３ａ〜１３ｄ  係合爪部（係合部）
１３ｅ  突出部（第１突出部）
１３ｆ  突出部（第２突出部）
１４ａ〜１４ｄ，１４ｇ  リブ（第１リブ部材）
１４ｅ，１４ｆ  リブ（第２リブ部材）
２０  アングル部（支持部）
２１  立設部
２２  先端部（底面部）
２３ａ〜２３ｄ  係合穴部（被係合部）
２３ｅ，２３ｆ  挿入孔
２４ａ，２４ｂ  挿入孔
２５  開口部（貫通孔）
２６  切欠部
３１ａ，３１ｂ  取付用クリップ
３２  頭部
３３  被挿入部
３４  スリット部
３５  両面テープ
３６  ネジ
３７  留具
３７ａ  第１溝部
３７ｂ  第２溝部
Ｃ１，Ｃ２  コネクタ
Ｌ１  光源（白色の光源）
Ｌ２  光源（電球色の光源）
Ｌ３  光源（赤色の光源）
ｔ１，ｔ２  電気配線の接続端子
１００  副照明ユニット
１０１  常夜灯光源ユニット（第１光源、光源）
１０２  反射板
１０３  光源収納部
１０４  筒状リブ
１０５  保持爪部（保持部）
１０６  電源コネクタ
１０７  電源ケーブル
１０８  接続部
１０３−１  光通過口（通過部）
１０３−２  笠部
１０３−３  側壁部
Ｌ１０１  光源
Ｂ１０１  支持基板
Ｃ１０１，Ｃ１０２  コネクタ
【図１】
2013196794.tif 000003
【図２】
2013196794.tif 000004
【図３】
2013196794.tif 000005
【図４】
2013196794.tif 000006
【図５】
2013196794.tif 000007
【図６】
2013196794.tif 000008
【図７】
2013196794.tif 000009
【図８】
2013196794.tif 000010
【図９】
2013196794.tif 000011
【図１２】
2013196794.tif 000012
【図１４】
2013196794.tif 000013
【図１５】
2013196794.tif 000014
【図１６】
2013196794.tif 000015
【図１７】
2013196794.tif 000016
【図１８】
2013196794.tif 000017
【図１９】
2013196794.tif 000018
【図２０】
2013196794.tif 000019
【図２１】
2013196794.tif 000020
【図２２】
2013196794.tif 000021
【図２３】
2013196794.tif 000022
【図２４】
2013196794.tif 000023
【図２８】
2013196794.tif 000024
【図２９】
2013196794.tif 000025
【図３０】
2013196794.tif 000026
【図３１】
2013196794.tif 000027
【図１０】
2013196794.tif 000028
【図１１】
2013196794.tif 000029
【図１３】
2013196794.tif 000030
【図２５】
2013196794.tif 000031
【図２６】
2013196794.tif 000032
【図２７】
2013196794.tif 000033